(57)【要約】      （修正有）【課題】装着者にとって、視覚機能又は視機能の側面において、適切な又は改善した視覚機能又は視機能をもたらす眼科用レンズを提供する。【解決手段】オプティックゾーンを含む、眼科用レンズにおいて、中心部分１１１の第１の度数プロファイルは、少なくとも第１のステップ１０６を有し、第１のステップは、その両側において、第１の境界点１１３及び第２の境界点１１４と境界を接し、第１の度数プロファイルは、第１の境界点において度数の変化率の第１の変化と、第２の境界点において度数の変化率の第２の変化とを有し、周囲部分１１０の第２の度数プロファイルは、少なくとも第２のステップ１０７を有し、第２のステップは、その両側において、第３の境界点１１８及び第４の境界点１１７と境界を接し、第２の度数プロファイルは、第３の境界点において度数の変化率の第３の変化と、第４の境界点において度数の変化率の第４の変化とを有する。【選択図】図６
2019164370.tif 000002
【特許請求の範囲】
【請求項１】
少なくとも第１の度数プロファイルを有する少なくとも１つの中心部分と、少なくとも第２の度数プロファイルを有する少なくとも１つの周囲部分と、
を含むオプティックゾーンを含む、眼科用レンズにおいて、
前記少なくとも１つの中心部分の前記第１の度数プロファイルは、少なくとも第１のステップを有し、前記第１のステップは、その両側において、第１の境界点及び第２の境界点と境界を接し、前記第１の度数プロファイルは、前記第１の境界点において度数の変化率の第１の変化と、前記第２の境界点において度数の変化率の第２の変化とを有し、
前記少なくとも１つの周囲部分の前記第２の度数プロファイルは、少なくとも第２のステップを有し、前記第２のステップは、その両側において、第３の境界点及び第４の境界点と境界を接し、前記第２の度数プロファイルは、前記第３の境界点において度数の変化率の第３の変化と、前記第４の境界点において度数の変化率の第４の変化とを有することを特徴とする眼科用レンズ。
【請求項２】
請求項１に記載の眼科用レンズにおいて、前記少なくとも１つの中心部分が、１〜６つ、１〜５つ、２〜５つ、２〜６つ、２〜４つのステップ、３〜５つのステップ、又は３〜６つのステップを有することを特徴とする眼科用レンズ。
【請求項３】
請求項１又は２に記載の眼科用レンズにおいて、前記少なくとも１つの中心部分が、少なくとも２、３、４、５つのステップを有することを特徴とする眼科用レンズ。
【請求項４】
請求項１乃至３の何れか１項に記載の眼科用レンズにおいて、前記少なくとも１つの周囲部分が、１〜６つ、１〜５つ、２〜５つ、２〜４つのステップ、３〜５つのステップ、又は３〜６つのステップを有することを特徴とする眼科用レンズ。
【請求項５】
請求項１乃至４の何れか１項に記載の眼科用レンズにおいて、前記少なくとも１つの周囲部分が、少なくとも２、３、４、又は５つのステップを有することを特徴とする眼科用レンズ。
【請求項６】
請求項１乃至５の何れか１項に記載の眼科用レンズにおいて、前記境界点の１つ又は複数における前記度数の変化率の変化が急速であることを特徴とする眼科用レンズ。
【請求項７】
請求項１乃至６の何れか１項に記載の眼科用レンズにおいて、前記境界点の１つ又は複数における前記度数の変化率の変化が緩やかであることを特徴とする眼科用レンズ。
【請求項８】
請求項１乃至７の何れか１項に記載の眼科用レンズにおいて、前記ステップの１つ又は複数内の度数が、一定、実質的に一定、減少する、及び増加する、の内の１つ又は複数であることを特徴とする眼科用レンズ。
【請求項９】
請求項１乃至８の何れか１項に記載の眼科用レンズにおいて、前記第１のステップ内の前記度数及び前記第２のステップ内の前記度数は、同じ、実質的に同じ、又は異なることを特徴とする眼科用レンズ。
【請求項１０】
請求項１乃至９の何れか１項に記載の眼科用レンズにおいて、前記ステップの１つ又は複数が、０ｍｍ〜１．５ｍｍ、０．１ｍｍ〜１．２５ｍｍ、０．１ｍｍ〜１ｍｍ、又は０．１５ｍｍ〜１ｍｍの幅を有することを特徴とする眼科用レンズ。
【請求項１１】
請求項１乃至１０の何れか１項に記載の眼科用レンズにおいて、前記ステップの１つ又は複数が、少なくとも０．１ｍｍ、０．１５ｍｍ、０．２５ｍｍ、０．５ｍｍ、１ｍｍ、又は１．２５ｍｍの幅を有することを特徴とする眼科用レンズ。
【請求項１２】
請求項１乃至１１の何れか１項に記載の眼科用レンズにおいて、前記レンズが近視の矯正及び／又は近視の進行の制御のためのものであることを特徴とする眼科用レンズ。
【請求項１３】
請求項１乃至１２の何れか１項に記載の眼科用レンズにおいて、前記レンズが老眼の矯正のためのものであることを特徴とする眼科用レンズ。
【請求項１４】
請求項１乃至１３の何れか１項に記載の眼科用レンズにおいて、前記少なくとも１つの周囲部分は、少なくとも４つ又は５つの半径方向に間隔を空けたステップを有し、前記少なくとも１つの中心部分は、少なくとも２つ又は３つの半径方向に間隔を空けたステップを有することを特徴とする眼科用レンズ。
【請求項１５】
請求項１乃至１３の何れか１項に記載の眼科用レンズにおいて、前記少なくとも１つの周囲部分は、２〜６つの半径方向に間隔を空けたステップを有し、前記少なくとも１つの中心部分は、１〜２つの半径方向に間隔を空けたステップを有することを特徴とする眼科用レンズ。
【請求項１６】
請求項１乃至１３の何れか１項に記載の眼科用レンズにおいて、前記少なくとも１つの周囲部分は、２〜４つの半径方向に間隔を空けたステップを有し、前記少なくとも１つの中心部分は、２〜３つの半径方向に間隔を空けたステップを有することを特徴とする眼科用レンズ。
【請求項１７】
少なくとも１つの一次光学度数を有する少なくとも１つの一次領域と、
第１の光学度数を有する第１の二次領域及び第２の光学度数を有する第２の二次領域を含む少なくとも２つの二次領域と、
を含むオプティカルゾーンを含む、眼科用レンズにおいて、
前記第１の二次領域及び前記第２の二次領域の少なくとも一方は、前記少なくとも１つの一次領域の周囲にあり、前記第１及び第２の光学度数は、前記少なくとも１つの一次光学度数と比べてより正であり、
少なくとも第１のステップを有する、前記少なくとも１つの一次光学度数から前記第１の光学度数への第１の度数遷移と、少なくとも第２のステップを有する、前記少なくとも１つの一次光学度数から前記第２の光学度数への第２の度数遷移とが存在し、前記ステップは、前記少なくとも１つの一次領域及び前記第１及び第２の二次領域を含まず、前記第１のステップの少なくとも１つ及び前記第２のステップの少なくとも１つに関して、前記度数遷移の変化率の大きさが前記ステップの前の前記境界点において減少したのち前記ステップの後の前記境界点において増加することを特徴とする眼科用レンズ。
【請求項１８】
請求項１７に記載の眼科用レンズにおいて、前記ステップに関して、前記ステップの前の前記境界点における前記度数遷移の変化率の大きさは、中程度、急速及び緩やかの内の１つ又は複数で減少したのち、前記ステップの後の前記境界点において、中程度、急速及び緩やかの内の１つ又は複数で増加することを特徴とする眼科用レンズ。
【請求項１９】
請求項１７又は１８に記載の眼科用レンズにおいて、前記度数遷移の変化率の大きさは、前記ステップの前の前記境界点において急速に減少したのち、前記ステップの後の前記境界点において急速に増加することを特徴とする眼科用レンズ。
【請求項２０】
請求項１７又は１８に記載の眼科用レンズにおいて、前記度数遷移の変化率の大きさは、前記ステップの前の前記境界点において緩やかに減少したのち、前記ステップの後の前記境界点において緩やかに増加することを特徴とする眼科用レンズ。
【請求項２１】
請求項１７又は１８に記載の眼科用レンズにおいて、前記度数遷移の変化率の大きさは、前記ステップの前の前記境界点において中程度に減少したのち、前記ステップの後の前記境界点において中程度に増加することを特徴とする眼科用レンズ。
【請求項２２】
請求項１７乃至２１の何れか１項に記載の眼科用レンズにおいて、前記少なくとも１つの一次領域は、０．２ｍｍ〜２ｍｍ、０．３ｍｍ〜１．７５ｍｍ、又は０．４ｍｍ〜１．５ｍｍの幅を有することを特徴とする眼科用レンズ。
【請求項２３】
請求項１７乃至２２の何れか１項に記載の眼科用レンズにおいて、前記第１及び第２の光学度数が、前記少なくとも１つの一次光学度数と比べて最大で５Ｄ、４Ｄ、又は３Ｄの量分、より正であることを特徴とする眼科用レンズ。
【請求項２４】
請求項１７乃至２３の何れか１項に記載の眼科用レンズにおいて、前記第１の二次領域及び前記第２の二次領域の少なくとも一方が、０ｍｍ〜２ｍｍ、０．１ｍｍ〜１．７５ｍｍ、又は０．２ｍｍ〜１．５ｍｍの幅を有することを特徴とする眼科用レンズ。
【請求項２５】
請求項１７乃至２４の何れか１項に記載の眼科用レンズにおいて、前記第１の度数遷移及び前記第２の度数遷移の少なくとも一方は、１〜６つ、１〜５つ、２〜６つ、２〜５つ、又は２〜４つのステップを有することを特徴とする眼科用レンズ。
【請求項２６】
請求項１７乃至２５の何れか１項に記載の眼科用レンズにおいて、前記第１の度数遷移及び前記第２の度数遷移の少なくとも一方は、１〜５つ、２〜４つ、１〜３つ、２〜３つ、２〜５つ、又は２〜６つの半径方向に間隔を空けたステップを有することを特徴とする眼科用レンズ。
【請求項２７】
請求項１７乃至２６の何れか１項に記載の眼科用レンズにおいて、前記第１の度数遷移及び前記第２の度数遷移は、１〜５つ、２〜４つ、１〜３つ、２〜３つ、２〜５つ、又は２〜６つの半径方向に間隔を空けたステップを有することを特徴とする眼科用レンズ。
【請求項２８】
請求項１７乃至２７の何れか１項に記載の眼科用レンズにおいて、前記第１の度数遷移及び前記第２の度数遷移の少なくとも一方は、１つ又は複数の前記二次領域間又は各二次領域間に、１〜５つ、２〜４つ、１〜３つ、２〜３つ、２〜５つ、又は２〜６つの半径方向に間隔を空けたステップを有することを特徴とする眼科用レンズ。
【請求項２９】
請求項１７乃至２８の何れか１項に記載の眼科用レンズにおいて、１つ又は複数の前記二次領域間又は各二次領域間に、少なくとも２、３、４、５、又は６つの半径方向に間隔を空けたステップが存在することを特徴とする眼科用レンズ。
【請求項３０】
請求項１７乃至２９の何れか１項に記載の眼科用レンズにおいて、前記第１のステップ及び前記第２のステップの少なくとも一方に関して、前記幅が、０ｍｍ〜１．５ｍｍ、０．１ｍｍ〜１．２５ｍｍ、０．１ｍｍ〜１ｍｍ、又は０．１５ｍｍ〜１ｍｍであることを特徴とする眼科用レンズ。
【請求項３１】
請求項１７乃至３０の何れか１項に記載の眼科用レンズにおいて、前記第１のステップ及び前記第２のステップの少なくとも一方に関して、前記度数が前記一次領域の前記度数よりも最大で５Ｄ、４Ｄ、又は３Ｄ分より正であることを特徴とする眼科用レンズ。
【請求項３２】
請求項１７乃至３０の何れか１項に記載の眼科用レンズにおいて、前記第１のステップ及び前記第２のステップに関して、前記度数が前記一次領域の前記度数よりも最大で５Ｄ、４Ｄ、又は３Ｄ分より正であることを特徴とする眼科用レンズ。
【請求項３３】
請求項１７乃至３２の何れか１項に記載の眼科用レンズにおいて、前記第１のステップ及び前記第２のステップの少なくとも一方に関して、前記度数が前記第１の二次領域及び前記第２の二次領域の少なくとも一方の前記度数よりも最大で５Ｄ、４Ｄ、又は３Ｄ分、正の度合いが低いことを特徴とする眼科用レンズ。
【請求項３４】
請求項１７乃至３２の何れか１項に記載の眼科用レンズにおいて、前記第１のステップ及び前記第２のステップに関して、前記度数が前記第１の二次領域及び前記第２の二次領域の少なくとも一方の前記度数よりも最大で５Ｄ、４Ｄ、又は３Ｄ分、正の度合いが低いことを特徴とする眼科用レンズ。
【請求項３５】
請求項１７乃至３２の何れか１項に記載の眼科用レンズにおいて、前記第１のステップ及び前記第２のステップに関して、前記度数が前記第１の二次領域及び前記第２の二次領域の前記度数よりも最大で５Ｄ、４Ｄ、又は３Ｄ分、正の度合いが低いことを特徴とする眼科用レンズ。
【請求項３６】
請求項１７乃至３５の何れか１項に記載の眼科用レンズにおいて、前記レンズが近視の矯正及び／又は近視の進行の制御のためのものであることを特徴とする眼科用レンズ。
【請求項３７】
請求項１７乃至３５の何れか１項に記載の眼科用レンズにおいて、前記レンズが老眼の矯正のためのものであることを特徴とする眼科用レンズ。
【発明の詳細な説明】
【技術分野】
【０００１】
相互参照
「Ｏｐｔｉｃａｌ  Ｌｅｎｓ  ｆｏｒ  Ｖｉｓｉｏｎ  Ｃｏｒｒｅｃｔｉｏｎ  Ｈａｖｉｎｇ  Ｏｎｅ  ｏｒ  Ｍｏｒｅ  Ａｒｅａｓ  ｏｆ  Ｍｏｒｅ  Ｐｏｓｉｔｉｖｅ  Ｐｏｗｅｒ」というタイトルの２０１２年１２月１０日に出願されたオーストラリア仮特許出願第２０１２９０５３７１号明細書は、記載内容全体が本明細書に援用される。「Ｏｐｈｔｈａｌｍｉｃ  Ｏｐｔｉｃａｌ  Ｌｅｎｓ  ｆｏｒ  Ｖｉｓｉｏｎ  Ｃｏｒｒｅｃｔｉｏｎ  Ｈａｖｉｎｇ  Ｏｎｅ  ｏｒ  Ｍｏｒｅ  Ａｒｅａｓ  ｏｆ  Ｍｏｒｅ  Ｐｏｓｉｔｉｖｅ  Ｐｏｗｅｒ」というタイトルの２０１３年１０月１０日に出願された米国仮特許出願第６１／８８９，１８９号明細書もまた、記載内容全体が本明細書に援用される。
【０００２】
本開示は、目の屈折異常を矯正する及び／又は目の成長を制御するように設計された、及び／又はより正の度数の１つ又は複数の領域を追加的に有する眼科用光学レンズと、そのような眼科用光学レンズ設計を用いる方法とに関する。また、本開示は、目の屈折異常を矯正するように設計され、かつより正の度数の１つ又は複数の領域を有する眼科用光学レンズに関する。特定の実施形態は、例えば、コンタクトレンズ、眼内レンズ、角膜オンレー及び角膜インレーに適用することができる又はコンタクトレンズ、眼内レンズ、角膜オンレー及び角膜インレーとして実現することができる、及び／又は近視、遠視、乱視及び老眼等の目の屈折異常を少なくとも低減するために適用又は使用することができるが、コンタクトレンズに関連して、特に近視の矯正及び／又は近視の進行の制御用に設計されたコンタクトレンズを提供することに特に関心がある。特定の実施形態は、例えば、コンタクトレンズ、眼内レンズ、角膜オンレー及び角膜インレーに適用することができる又はコンタクトレンズ、眼内レンズ、角膜オンレー及び角膜インレーとして実現することができる、及び／又は老眼の矯正のために目に適用、特に光学的に接続することができる。一部の実施形態では、本開示は二重焦点及び／又は多焦点コンタクトレンズに適用可能である又は二重焦点及び／又は多焦点コンタクトレンズとして実現される。
【背景技術】
【０００３】
眼内レンズ、角膜オンレー、角膜インレー、又はコンタクトレンズ等の基本的二重焦点又は多焦点眼科用レンズは、遠見視力を提供する光学度数を有するオプティカルゾーンの中心領域と、近見視力を提供する度数を有する中心領域の周囲の環状領域とを有する（すなわち、中心遠見二重焦点又は多焦点レンズ）。別の基本的二重焦点又は多焦点眼科用レンズは、近見視力を提供する光学度数を有するオプティカルゾーンの中心領域と、遠見視力を提供する度数を有する中心領域の周囲の環状領域とを有する（すなわち、中心近見二重焦点又は多焦点レンズ）。コンタクトレンズのオプティカルゾーンは、瞳孔のサイズにほぼ等しくなり得る。瞳孔の直径は、３ｍｍ〜８ｍｍの範囲で異なり得るので、コンタクトレンズのオプティカルゾーンのサイズは、それに応じて選択され得る。近視の進行を制御するため又は老眼を矯正するために設計されたあるコンタクトレンズは、オプティカルゾーンの少なくとも１つの領域において、遠見度数と比べて比較的正の光学度数を使用することに依存し、遠見度数は、例えば、目が遠くの視対象を見ている時に目に適切な屈折補正を提供するために必要なレンズの度数として定義される。この比較的より正の度数の１つ又は複数の領域は、中心に又はオプティカルゾーンの外縁部に、あるいはその両方に配置されてもよく、外縁部は、例えば、中心ゾーンよりも光軸からより遠い距離に位置するコンタクトレンズのゾーン及び／又は遠見視力を提供する光学度数を有する領域である。
【０００４】
コンタクトレンズのオプティカルゾーンにおける追加の比較的正の度数の存在は、視覚機能又は視機能を低下させる影響を生じさせていると装着者から報告されることが多い。このような影響は、複視、ゴースティング、金魚鉢越しの眺め（すなわち、歪み）、及び／又は場合によっては高及び低コントラスト視力の低下といった自覚症状を含む。低コントラスト視力の低下は、コントラストの低下としても報告される場合がある。コントラストの低下は、コントラスト感度の喪失として特定及び／又は測定され得る。
【０００５】
本開示の目的は、装着者にとって、視覚機能又は視機能の１つ又は複数の側面において、適切な又は改善した視覚機能又は視機能をもたらす眼科用レンズを提供することである。また、本開示の目的は、装着者にとって適切な又は改善した視覚機能又は視機能をもたらし、オプティカルゾーンにおいて遠見度数と比べて比較的正の度数を追加的に有する眼科用レンズを提供することである。また、本開示の目的は、目の屈折異常を矯正し、オプティカルゾーンにおいて比較的正の度数の１つ又は複数の領域を有する眼科用レンズを提供することである。本開示の別の目的は、目の屈折異常を矯正し、オプティカルゾーンにおいて遠見度数と比べて比較的正の度数の１つ又は複数の領域を有し、視覚機能の１つ又は複数の側面において適切な又は改善した視機能又は視覚機能を提供する眼科用レンズを提供することである。これらの目的の１つ又は複数の組み合わせも考えられる。このようなレンズの使用方法を提供することも本開示の目的である。適切な又は改善した視覚機能又は視機能は、以下：視覚の明瞭さ、複視の程度、ゴースティングの程度、歪み、コントラスト、コントラスト感度、視力、及び視覚の全体的な質の内の１つ又は複数でもよい。
【０００６】
先行技術のレンズ及び方法は、オプティックゾーンにより正の度数を追加することによって、視覚機能又は視機能が影響を受けるという欠点を持つ。本開示は、本明細書の記載から明白となるように、オプティックゾーンの１つ又は複数の領域におけるステップの使用により、より正の度数をオプティックゾーンに設けることによって、先行技術の欠点の少なくとも１つを克服及び／又は改善することに向けられる。これにより、近視の矯正及び／又は近視の進行の制御の両方に使用され得るレンズが得られる。また、これにより、視覚機能又は視機能の１つ又は複数の側面に実質的に影響を及ぼすことなく、例えば、ゴースティングを実質的に変化させることなく、近視、遠視、乱視及び／又は老眼等の目の屈折異常の矯正に使用することができるレンズが得られる。また、これにより、適切な又は改善した視覚機能又は視機能を持たせて目の屈折異常を矯正する及び目の成長を制御するために使用することができるレンズが得られる。従って、本明細書に開示されるこれら及び他の課題を解決する設計方法、使用方法、及びレンズが望まれる。本開示は、本明細書の記載から明白となるように、先行技術の欠点の少なくとも１つを克服及び／又は改善するように向けられる。
【０００７】
明細書における先行技術の参照はいずれも、その先行技術がオーストラリア又は他の法域において周知の一般常識の一部を成す、又はその先行技術が当業者によって関連があると確認、理解、及び認知されることが当然予期され得るという承認又は示唆の形態ではない、又はそのようなものと見なされるものではない。
【発明の概要】
【０００８】
より負の光学度数及びより正の光学度数を有するオプティカルゾーンの領域間の光学度数遷移において、１つ以上のステップ、２つ以上のステップ、又は３つ以上のステップを設けることによって、視機能又は視覚機能の側面の１つ又は複数が改善され得ることが分かった。また、ステップ関数を有する度数プロファイルの使用が気を散らす像を抑え、視機能又は視覚機能の側面の１つ又は複数を改善させる好ましい効果につながることが分かった。適切な又は改善した視覚機能又は視機能は、以下：視覚の明瞭さ、複視の程度、ゴースティングの程度、歪み、コントラスト、コントラスト感度、視力、及び視覚の全体的な質の内の１つ又は複数でもよい。視覚の明瞭さは、例えば、１＝極めて良い明瞭さ及び１０＝極めて悪い視覚の明瞭さといった１〜１０の数値評定尺度によって定量化された臨床アンケートを用いて評価することができる。複視の程度は、例えば、１＝観察可能な視像の複視なし及び１０＝視像の複視が極めて顕著といった１〜１０の数値評定尺度によって定量化された臨床アンケートを用いて評価することができる。ゴースティングの程度は、例えば、１＝視像に関連した観察可能なゴースティングなし及び１０＝視像に関連したゴースティングが極めて顕著といった１〜１０の数値評定尺度によって定量化された臨床アンケートを用いて評価することができる。歪みは、例えば、１＝観察可能な視像の歪みなし及び１０＝視像の重度の歪みといった１〜１０の数値評定尺度によって定量化された臨床アンケートを用いて評価することができる。コントラストは、例えば、１＝視像における極めて悪いコントラスト及び１０＝視像における非常に良いコントラストといった１〜１０の数値評定尺度によって定量化された臨床アンケートを用いて評価することができる。コントラスト感度は、例えば、文字ベースのコントラスト感度チャート（例えばＰｅｌｌｉ−Ｒｏｂｓｏｎチャート）又は正弦波格子ベースのコントラスト感度チャート（例えば、Ｆｕｎｃｔｉｏｎａｌ  Ａｃｕｉｔｙ  Ｃｏｎｔｒａｓｔ  Ｔｅｓｔ又はＦＡＣＴチャート）等のコントラスト感度検査チャートを用いて測定することができる。視力は、例えば、スネレンチャート又はＢａｉｌｅｙ−Ｌｏｖｉｅチャート等の視力検査チャート（この場合、検査は、高照度又は低照度下で適用されてもよい、及び／又はチャートは、高コントラスト、中間コントラスト、又は低コントラストでもよい）を用いて測定することができる。視覚の全体的な質は、例えば、１＝極めて良い視覚の全体的な質及び１０＝極めて悪い視覚の全体的な質といった１〜１０の数値評定尺度によって定量化された臨床アンケートを用いて評価することができる。
【０００９】
特定の実施形態では、オプティカルゾーンの中心部分に１つ以上のステップを設け、オプティックゾーンの周囲部分に１つ以上のステップを設けることによって、視機能又は視覚機能の１つ又は複数の側面が良い影響を受け得る又は改善され得る。特定の実施形態では、オプティカルゾーンの中心部分に２つ以上のステップを設け、オプティックゾーンの周囲部分に２つ以上のステップを設けることによって、視機能又は視覚機能の１つ又は複数の側面が良い影響を受け得る又は改善され得る。特定の実施形態では、オプティカルゾーンの中心部分に２つ以上のステップを設け、オプティックゾーンの周囲部分に３つ以上のステップを設けることによって、視機能又は視覚機能の１つ又は複数の側面が良い影響を受け得る又は改善され得る。特定の実施形態では、オプティカルゾーンの中心部分に３つ以上のステップを設け、オプティックゾーンの周囲部分に３つ以上のステップを設けることによって、視機能又は視覚機能の１つ又は複数の側面が良い影響を受け得る又は改善され得る。一部の実施形態では、このようなレンズ設計は、目の屈折異常を矯正するため及び／又は目の成長を制御するために有用となり得る。一部の実施形態では、このようなレンズ設計は、近視の矯正及び近視の進行の制御に有用となり得る。一部の実施形態では、このようなレンズ設計は、老眼の矯正に有用となり得る。老眼は、加齢に伴う目の遠近調節能力の進行性の喪失であり、その結果、近くの物に対して視覚のぼけが生じる。少なくとも部分的に目の水晶体の硬化によって生じると言われている。
【００１０】
本開示の特定の実施形態は、目の屈折異常を矯正する及び目の成長を制御するための眼科用光学レンズであって、光学度数を有する一次領域と、一次領域の周囲に少なくとも１つを含み、一次領域の光学度数と比べてより正の光学度数を有する１つ以上の二次領域とを備えたオプティカルゾーンを含み、一次領域と１つ以上の二次領域との間で、実質的に、度数の変化率の大きさ（すなわち、符号又は方向を無視する）が、視覚機能又は視機能の１つ又は複数の側面において適切な又は改善した視覚機能又は視機能を提供するために十分な量だけ及び距離にわたって減少したのち増加する一次領域と１つ以上の二次領域との間の少なくとも１つのステップ、少なくとも２つのステップ、又は少なくとも３つのステップを有して、より負の度数とより正の度数との間で光学度数が漸進的に遷移する眼科用レンズを提供する。レンズによって経験される適切な又は改善した視覚機能又は視機能は、以下：視覚の明瞭さ、複視の程度、ゴースティングの程度、歪み、コントラスト、コントラスト感度、視力、及び視覚の全体的な質の内の１つ又は複数でもよい。視覚の明瞭さは、例えば、１＝極めて良い明瞭さ及び１０＝極めて悪い視覚の明瞭さといった１〜１０の数値評定尺度によって定量化された臨床アンケートを用いて評価することができる。複視の程度は、例えば、１＝観察可能な視像の複視なし及び１０＝視像の複視が極めて顕著といった１〜１０の数値評定尺度によって定量化された臨床アンケートを用いて評価することができる。ゴースティングの程度は、例えば、１＝視像に関連した観察可能なゴースティングなし及び１０＝視像に関連したゴースティングが極めて顕著といった１〜１０の数値評定尺度によって定量化された臨床アンケートを用いて評価することができる。歪みは、例えば、１＝観察可能な視像の歪みなし及び１０＝視像の重度の歪みといった１〜１０の数値評定尺度によって定量化された臨床アンケートを用いて評価することができる。コントラストは、例えば、１＝視像における極めて悪いコントラスト及び１０＝視像における非常に良いコントラストといった１〜１０の数値評定尺度によって定量化された臨床アンケートを用いて評価することができる。コントラスト感度は、例えば、文字ベースのコントラスト感度チャート（例えばＰｅｌｌｉ−Ｒｏｂｓｏｎチャート）又は正弦波格子ベースのコントラスト感度チャート（例えば、Ｆｕｎｃｔｉｏｎａｌ  Ａｃｕｉｔｙ  Ｃｏｎｔｒａｓｔ  Ｔｅｓｔ又はＦＡＣＴチャート）等のコントラスト感度検査チャートを用いて測定することができる。視力は、例えば、スネレンチャート又はＢａｉｌｅｙ−Ｌｏｖｉｅチャート等の視力検査チャート（この場合、検査は、高照度又は低照度下で適用されてもよい、及び／又はチャートは、高コントラスト、中間コントラスト、又は低コントラストでもよい）を用いて測定することができる。視覚の全体的な質は、例えば、１＝極めて良い視覚の全体的な質及び１０＝極めて悪い視覚の全体的な質といった１〜１０の数値評定尺度によって定量化された臨床アンケートを用いて評価することができる。
【００１１】
眼科用レンズ又は眼科用システムは、以下：コンタクトレンズ、前房眼内レンズ又は後房眼内レンズでもよい眼内レンズ、角膜オンレー及び角膜インレーの内の１つ又は複数でもよい。
【００１２】
特定の実施形態では、一次領域の光学度数は、近視の矯正を目的として選択され、遠見度数を有する。１つ又は複数の実施形態では、近視の進行を制御する目的で、二次領域が配置され、それらの度数が選択される。近視は、光軸に沿った目の持続的な成長によって進行し、その結果、焦点が網膜の前に位置する。
【００１３】
１つ又は複数の実施形態では、一次領域の光学度数は、遠見、中間部、又は近見の矯正を目に提供するために選択され、二次領域は、一次領域と比べてより正の度数を有する。
【００１４】
一部の実施形態では、光学度数の前記漸進的遷移は、少なくとも大きさに不連続点を持たないというだけでなく、レンズの幅方向の距離に対する度数の変化率（すなわち一次導関数）における不連続点も回避する点で連続的である。一部の実施形態では、光学度数の漸進的遷移は、連続的又は実質的に連続的である。本明細書において、適切な又は改善した視覚機能又は視機能とは、視覚の明瞭さ、複視の程度、ゴースティングの程度、コントラスト、コントラスト感度、視力、及び視覚の全体的な質の内の１つ又は複数を意味する。
【００１５】
１つ又は複数の実施形態において、オプティカルゾーンの中心及び周囲に１つ又は複数の二次領域が存在する。特定の実施形態では、一次領域は、中心の二次領域と周囲の二次領域との間の環帯でもよい。これらの実施形態において、中心及び周囲の二次領域の各々において上述したような及び一次及び二次領域を含まない少なくとも１つのステップが存在してもよい。二次領域の１つ又は複数を例えばオプティカルゾーンの中心に配置することによって、異なる視覚不良の同時矯正を達成し得る。
【００１６】
一部の実施形態では、一次領域の周囲に位置する二次領域内に少なくとも２つのステップが存在する。２つ以上のステップが存在する場合には、ステップの深さ及び／又は高さは、それぞれ同じ又は異なってもよい。ステップの深さ及び／又は高さは、例えば、レンズの表面の外皮とレンズの実表面との差として測定することができる。他の実施形態では、２つ以上のステップが存在する場合には、ステップの深さ及び／又は高さは、以下：同じ、実質的に同じ、及び異なる、の内の１つでもよい。
【００１７】
１つ又は複数の実施形態では、ステップは、光学度数の変化率がゼロである、すなわちステップが平坦である点又は有限部分を含んでもよい。他の実施形態では、変化率は、ステップにおいて反転してもよい。１つ又は複数の実施形態では、ステップは、光学度数の変化率がゼロ又は実質的にゼロである、すなわちステップが平坦又は実質的に平坦である点又は有限部分を含んでもよい。他の実施形態では、変化率は、ステップにおいて反転してもよい。
【００１８】
一部の実施形態では、光学度数の変化率は、ステップの前後で類似又は同じでもよい。他の実施形態では、それは、ステップの前後で異なってもよい。一部の実施形態では、１つ又は複数の二次領域と、１つ又は複数の一次領域との間の度数遷移において、１〜５つ、２〜４つ、１〜３つ、２〜３つ、２〜５つ、又は２〜６つの半径方向に間隔を空けたステップが存在してもよい。一部の実施形態では、二次領域間の度数遷移において、１〜５つ、２〜４つ、１〜３つ、２〜３つ、２〜５つ、又は２〜６つの半径方向に間隔を空けたステップが存在し得る。半径方向とは、光軸の中心に向かう又は光軸の中心から離れる方向を意味する。半径方向距離は、時に、半弦距離とも呼ばれる場合がある。一部の実施形態では、１つ又は複数の二次領域において、又は各二次領域において、少なくとも２、３、４、５、又は６つの半径方向に間隔を空けたステップが存在してもよい。一部の実施形態では、オプティカル部分の中心部分において少なくとも２つ又は３つの半径方向に間隔を空けたステップと、オプティカル部分の周囲部分において少なくとも４つ又は５つの半径方向に間隔を空けたステップとが存在してもよい。一部の実施形態では、オプティカル部分の中心部分において１〜２つの半径方向に間隔を空けたステップと、オプティカル部分の周囲部分において２〜６つの半径方向に間隔を空けたステップとが存在してもよい。一部の実施形態では、オプティカル部分の中心部分において２〜３つの半径方向に間隔を空けたステップと、オプティカル部分の周囲部分において２〜４つの半径方向に間隔を空けたステップとが存在してもよい。一部の実施形態では、レンズのオプティカル部分の１ミリメートル当たりに少なくとも２つ又は３つの半径方向に間隔を空けたステップが存在してもよい。複数のステップの使用は、例えば、視覚機能又は視機能の１つ又は複数の側面における適切な又は改善した視覚機能又は視機能という利点を持つ。特定の実施形態では、第１の度数遷移及び第２の度数遷移は、１〜５つ、２〜４つ、１〜３つ、２〜３つ、２〜５つ、又は２〜６つの半径方向に間隔を空けたステップを有する。特定の実施形態では、第１の度数遷移及び第２の度数遷移の少なくとも一方は、１つ又は複数の二次領域間又は各二次領域間に、１〜５つ、２〜４つ、１〜３つ、２〜３つ、２〜５つ、又は２〜６つの半径方向に間隔を空けたステップを有する。これらのステップは、他の度数遷移に存在してもよい。特定の実施形態では、１つ又は複数の二次領域間又は各二次領域間に、少なくとも２、３、４、５、又は６つの半径方向に間隔を空けたステップが存在する。
【００１９】
一般的に、光学素子は、実質的に軸対称である。一部の実施形態では、レンズ素子は、横方向に非対称及び／又は回転非対称でもよい。これらの異なる対称性は異なる利点を持ち、例えば、非対称レンズ素子は、目の特定の非対称視覚不良又は収差を部分的に補正又は矯正し得る。
【００２０】
周囲の二次領域は、０．５〜３ｍｍ、１〜２ｍｍ、又は１〜１．５ｍｍの範囲の半径で始まり得る。
【００２１】
本明細書において、文脈上他の意味に解釈すべき場合を除き、「含む」（“ｃｏｍｐｒｉｓｅ”）という用語、並びにこの用語の「含んでいる」（“ｃｏｍｐｒｉｓｉｎｇ”）、「含む」（“ｃｏｍｐｒｉｓｅｓ”）、及び「含まれた」（“ｃｏｍｐｒｉｓｅｄ”）等のバリエーションは、さらなる追加、構成要素、整数値、又は工程を排除することを意図したものではない。
ほんの一例として、添付の図面を参照して、本開示をさらに説明する。
【図面の簡単な説明】
【００２２】
【図１】図１は、本開示の一実施形態を構成する軸対称のコンタクトレンズの半弦光学度数図である。
【図２】図２は、本開示の一実施形態を構成する軸対称のコンタクトレンズの半弦光学度数図である。
【図３】図３は、本開示の一実施形態を構成する軸対称のコンタクトレンズの半弦光学度数図である。
【図４】図４は、本開示の一実施形態を構成する軸対称のコンタクトレンズの半弦光学度数図である。
【図５】図５は、従来のコンタクトレンズの一例の半弦光学度数図である。
【図６】図６は、レンズのオプティックゾーンの度数プロファイルの例示的な一実施形態を示す。
【図７】図７は、レンズのオプティックゾーンの度数プロファイルの例示的な一実施形態を示す。
【図８】図８は、レンズのオプティックゾーンの度数プロファイルの例示的な一実施形態を示す。
【図９】図９は、レンズのオプティックゾーンの度数プロファイルの例示的な一実施形態を示す。
【図１０】図１０は、レンズのオプティックゾーンの度数プロファイルの例示的な一実施形態を示す。
【図１１】図１１は、図１０の例示的な実施形態のオプティックゾーンの度数プロファイルの変化率の大きさを示す。
【発明を実施するための形態】
【００２３】
１つ又は複数の実施形態を参照して、本開示をさらに詳細に説明し、その幾つかの実施例を、添付の図面に図示する。実施例及び実施形態は、説明を目的として提供されるものであり、本開示の範囲の限定として捉えられるものではない。さらに、１つの実施形態の一部として例示又は説明された特徴は、それらだけを用いて他の実施形態を提供することができ、１つの実施形態の一部として例示又は説明された特徴は、１つ又は複数の他の実施形態と共に用いることにより、さらなる実施形態を提供することができる。本開示は、これらの変形形態及び実施形態、並びに他の変形形態及び／又は変更形態を含む。
【００２４】
詳細な説明に使用されるテーマの見出しは、読者が参照しやすいように含まれるものであって、本開示又はクレーム全体を通して見られる主題を限定するために使用されるものではない。テーマの見出しは、クレームの範囲又はクレームの限定の理解に用いられるものではない。
【００２５】
本明細書においては、ステップは、例えば、その領域上で度数が単調に変化しているレンズ上の領域として、その領域上で度数の変化率の大きさ（すなわち、符号又は方向を無視する）が減少したのち増加する領域内の場所として定義することができる。この場所内（すなわちステップ内）の度数の変化率は、ゼロ（すなわち、度数がステップに沿って一定）又はゼロ以外（すなわち、度数がステップに沿って変化し続けるが、より小さい変化率で変化する）でもよい。あるいは、ステップは、例えば、レンズの幅方向の距離に対する度数の一次導関数の絶対値が減少したのち増加するレンズ上の場所として定義することができる。
【００２６】
図１〜４は、開示された実施形態の幾つかによるコンタクトレンズのオプティカルゾーン（半径４ｍｍ）の半径方向に光学度数を描いた半弦図である。図１及び２の実施形態では、コンタクトレンズの一次領域１２は、中心に位置し、このコンタクトレンズが対象とする個人の処方に従って、−３Ｄの近視矯正度数を有する。従って、一次領域は、約２．１〜２．２ｍｍの直径を有する。
【００２７】
この中心領域の周囲は、中心領域の度数と比べてより正の度数へと光学度数が遷移することにより、図１の実施形態の場合−１．５Ｄ、図２の実施形態の場合−０．８Ｄの絶対度数となる二次領域１４である。度数は、連続的に（すなわち、大きさ又は変化率に不連続点がない）遷移し、度数の変化率の大きさが減少したのち増加する幾つかのステップを有する。
【００２８】
一次領域は、関連する一次光学度数を有してもよく、二次領域は、関連する二次光学度数を有してもよい。度数遷移は、２つの隣接する領域間に存在してもよい。例えば、度数遷移は、一次領域と、隣接した二次領域との間でもよい。度数遷移は、ある領域の光学度数から隣接する領域の光学度数へと変化する光学度数の変化である。例えば、−３Ｄの一次光学度数を有する一次領域と、＋１Ｄの二次光学度数を有する二次領域との間の度数遷移は、一次領域付近の−３Ｄから連続して二次領域付近の＋１Ｄへと変化し得る。
【００２９】
図１の実施形態では、２つの中間ステップが存在する：第１のステップは、そのステップの前後は非常に急激かつ急勾配で、このステップ自体は、約０．６ｍｍの幅又は深さにわたって、実質的に平坦である、すなわち度数が変化しない。従って、急激な変化は、例えば、レンズの幅方向の距離に対する度数の変化率の大きさの変化の大きさ（１平方ミリメートル当たりのジオプター、すなわちＤ／ｍｍ２で表される）が２０Ｄ／ｍｍ２以上でもよく、最大１００Ｄ／ｍｍ２となり得ることを意味する。ステップの前後の度数の変化は、１平方ミリメートル当たりのジオプターで表されたレンズの光軸からの距離に対する度数の一次導関数の絶対値の導関数の絶対値としても示すことができる。急激な変化は急速な変化とも呼ばれる場合がある。ステップの前後の度数の変化は、緩やかでもよい。緩やかな変化は、例えば、レンズの幅方向の距離に対する度数の変化率の大きさの変化の大きさが１０Ｄ／ｍｍ２以下となり得ることを意味する。ステップの前後の度数の変化は、中程度でもよい。中程度の変化は、例えば、緩やかな変化と、急激又は急速な変化との間に位置する。中程度の変化は、例えば、レンズの幅方向の距離に対する度数の変化率の大きさの変化の大きさが１０Ｄ／ｍｍ２〜２０Ｄ／ｍｍ２となり得ることを意味する。
【００３０】
図１の実施形態では、第２のステップも平坦であるが、約０．２５ｍｍのより短い幅又は深さにわたり、より急激度の低い光学度数の増加が続いた後、約２．５ｍｍの半径において、−１．５Ｄのより正の度数で水平状態に達する。
【００３１】
図２の実施形態では、第１のステップは、より小さな幅又は深さを有し、度数の変化率は、２つのステップの前後で実質的に類似し、二次領域の光学度数が約３．３ｍｍの半径において−０．３Ｄで水平状態に達する前に、−１．５Ｄで第３のステップが存在する。
【００３２】
図３の実施形態は、少なくとも２つの点において、図１及び２の実施形態とは異なる。第１に、オプティカルゾーンの中心に円形の二次領域１４Ａが存在するので、一次光学度数が−３Ｄである一次領域が、１ｍｍの半径を中心とした幅約０．５ｍｍの環帯に減少する。この中心に位置する二次領域１４Ａは、−３Ｄの一次光学度数から−２Ｄの中心のより正の二次光学度数への途中で度数遷移における１つの中間ステップを有する。２つ目の相違点は、この場合、ステップ間の間隔が、ステップ間の幅又は半弦距離に関して及び一次領域から周囲の二次領域１４への度数遷移におけるステップ間の光学度数の差に関して、他の実施形態に見られ得るように実質的に同一ではないことである。
【００３３】
図４は、図１及び３の実施形態のプロファイルの要素を組み合わせた実施形態を示す。ここでは、一次領域は、約−１Ｄの遠見度数を有するが、これは、約１．４ｍｍの半径の狭い環状領域である。
【００３４】
一次領域において類似の遠見度数を有するが、０．５Ｄの周囲度数へとなだらかに、連続して、ステップを有さずに、単調に増加する従来のコンタクトレンズと比較して、図４によるコンタクトレンズを用いて最初のテストを行った。これらの参照用コンタクトレンズの半弦度数プロファイルを図５に示す。０．７５ＤＣを超えない最小限の円柱矯正を示した（すなわち、最小限の乱視矯正を必要とする）４人の被験者が選ばれ、レンズの装着後に１〜４時間、視覚機能又は視機能の様々な要素又は側面を評価するために質問を受けた。被験者は、各設計を左右対称に装着し、これらは、同じ順番でテストされた。レンズを評価する際に被験者によって行われた課題は、主に屋内での事務作業に関係するものであった。評価は、視覚の明瞭さ、ゴースティングの程度、及び全体的な満足度を含む視覚に関する質問を含むものであった。
【００３５】
レンズの度数プロファイルは、レンズの設計を基にしてもよい、あるいは製造されたレンズから測定されてもよい。製造されたレンズの測定のために、幾つかの測定システムを使用することができる。測定システムの幾つかの例は、ＳＨＳＯｐｈｔｈａｌｍｉｃ（Ｏｐｔｏｃｒａｆｔ  Ｇｍｂｈ、ドイツ）、Ｎｉｍｏ（Ｌａｍｂｄａ−Ｘ、ベルギー）、及びＰｈａｓｅ  Ｆｏｃｕｓ  Ｌｅｎｓ  Ｐｒｏｆｉｌｅｒ（Ｐｈａｓｅ  Ｆｏｃｕｓ  Ｌｔｄ、イギリス）等の度数プロファイリング機器を含むが、これらに限定されない。適切に設定されれば、これらの測定システムを用いて、度数プロファイル及びレンズの度数プロファイルに存在するステップの数を決定することができる。
【００３６】
視覚の評価は、１＝極めて不明瞭／ぼやけた及び１０＝極めて明瞭／はっきりしたといった１〜１０の数値評定尺度によるものであった。遠見視及び近見視において、従来の参照用レンズは、平均で約６と評定されたのに対して、用いられた例示的な実施形態は、約８と評定された。総合的な視覚では、それぞれ５対７．５であった。ゴースティングの程度についての報告に関しては、尺度は、１＝ゴースティングなし及び１０＝重度のゴースティングであった。参照用設計における遠見及び近見でのゴースティングは、約４．５の評定を得たのに対して、実施形態の評定は、２．５であった（すなわち、ゴースティングが少ない）。
【００３７】
全体的な満足度では、スコアは、５対７．５であり、例示された実施形態の方がより高い性能スコアを有した。
【００３８】
図４のレンズ構成は、図５のものと比較して、視覚機能又は視機能の観察可能な主観的改善をもたらした。
【００３９】
特定の実施形態は、少なくとも１つの一次光学度数を有する少なくとも１つの一次領域と、少なくとも１つの第１の光学度数を含む少なくとも１つの二次領域とを含むオプティカルゾーンを含む眼科用レンズであって、二次領域の少なくとも１つは、少なくとも１つの一次領域の周囲にあり、少なくとも１つの第１の光学度数は、少なくとも１つの一次光学度数と比べてより正であり、少なくとも第１のステップ及び第２のステップを有する少なくとも１つの一次光学度数から少なくとも１つの第１の光学度数への第１の度数遷移が存在し、これらのステップは、少なくとも１つの一次領域及び少なくとも１つの二次領域を含まず、第１のステップ及び第２のステップの少なくとも一方に関して、度数遷移の変化率の大きさがステップの前の境界点で減少した後、ステップの後の境界点で増加する、眼科用レンズに関する。
【実施例】
【００４０】
実施例１
図６は、レンズのオプティックゾーンの度数プロファイルの例示的な実施形態を示す。オプティックゾーン全域の度数は、オプティックゾーンの中心からの半弦距離に対して示される。図６の例は、
一次光学度数を有する一次領域１０１と、
中心部分１１１と、
第１の二次光学度数を有する中心部分１１１内の第１の二次領域１０２と、
一次領域１０１から第１の二次領域１０２への第１の度数遷移を有する第１の度数遷移領域１０４と、
周囲部分１１０と、
第２の二次光学度数を有する周囲部分１１０内の第２の二次領域１０３と、
一次領域１０１から第２の二次領域１０３への第２の度数遷移を有する第２の度数遷移領域１０５と、
を含むオプティックゾーンを含む、眼科用レンズであって、
一次光学度数は、屈折補正の処方に従って選択され、第１の二次光学度数は、一次光学度数と比べてより正であり、第２の二次光学度数は、一次光学度数と比べてより正であり、
第１の度数遷移は、少なくとも、第１の二次領域１０２における第１の二次光学度数から一次領域１０１における一次光学度数への度数の変化率が、第１の度数遷移１０４内の第１の遷移領域１１２と第１のステップ１０６との間の第１の境界点１１３において急速に変化し（これは、例えば、レンズの幅方向の距離に対する度数の変化率の大きさの変化の大きさが２０Ｄ／ｍｍ２以上となり得ることを意味する）、その後、第１の度数遷移１０４内の第２の遷移領域１１５と第１のステップ１０６との間の第２の境界点１１４において、度数の変化率の急速な変化が続く、第１の度数遷移領域１０４内の第１のステップ１０６と、少なくとも、第２の二次領域１０３における第２の二次光学度数から一次領域１０１における一次光学度数への度数の変化率が、第２の度数遷移１０５の第３の遷移領域１１９と第２のステップ１０７との間の第３の境界点１１８において急速に変化し、その後、第２の度数遷移１０５内の第４の遷移領域１１６と第２のステップ１０７との間の第４の境界点１１７において、度数の変化率の急速な変化が続く、第２の度数遷移領域１０５内の第２のステップ１０７とを
含む、眼科用レンズに関する。特定の実施形態では、レンズの幅方向の距離に対する度数の変化率の大きさは、少なくとも０．５Ｄ／ｍｍ、１Ｄ／ｍｍ、２Ｄ／ｍｍ、４Ｄ／ｍｍ、又は８Ｄ／ｍｍでもよい。
【００４１】
図６の例示的な実施形態では、オプティックゾーンは、８ｍｍの直径（４ｍｍの半弦）を有する。他の実施形態では、オプティックゾーンの直径は、少なくとも３ｍｍ、５ｍｍ、６ｍｍ、７ｍｍ、又は８ｍｍでもよい。図６の例示的な実施形態では、一次領域１０１の一次光学度数は、度が入っていない（すなわち、０Ｄ）。
【００４２】
特定の実施形態では、一次光学度数は、装着者の処方に従って選択されてもよい。特定の実施形態では、一次光学度数は、球面度数成分を含み得る。球面度数成分は、近視、遠視、老眼、又はそれらの組み合わせの矯正に使用することができる。一次領域における球面度数は、−２０Ｄ〜＋３０Ｄ、−２０Ｄ〜＋２０Ｄ、−１５Ｄ〜＋１５Ｄ、又は−１０Ｄ〜＋１０Ｄの範囲から選択されてもよい。特定の実施形態では、一次光学度数は、円柱度数成分をさらに含み得る。円柱度数成分は、乱視の矯正に使用することができる。特定の実施形態では、一次領域における円柱度数は、−１０Ｄ〜＋１０Ｄ又は−５Ｄ〜＋５Ｄの範囲から選択されてもよい。
【００４３】
図６の例示的な実施形態では、中心に位置する第１の二次領域の直径は、約０．７ｍｍ（すなわち、約０．３５の半弦距離）であり、第２の二次領域の幅（半弦距離）は、約１．１ｍｍである。特定の実施形態では、二次領域の幅は、０ｍｍ〜２ｍｍ、０．１ｍｍ〜１．７５ｍｍ、又は０．２ｍｍ〜１．５ｍｍでもよい。
【００４４】
図６の例示的な実施形態では、一次領域１０１の幅（半弦距離）は、約０．６ｍｍである。
【００４５】
特定の実施形態では、一次領域の幅は、０．２ｍｍ〜２ｍｍ、０．３ｍｍ〜１．７５ｍｍ、又は０．４ｍｍ〜１．５ｍｍでもよい。
【００４６】
図６の例示的な実施形態では、第１の二次領域の度数は、一次光学度数よりも１Ｄ分より正であり、第２の二次光学度数は、一次領域の光学度数よりも２．７５Ｄ分大きい。
【００４７】
特定の実施形態では、二次領域の度数は、一次領域の度数よりも最大で５Ｄ、４Ｄ、又は３Ｄ分より正でもよい。特定の実施形態では、２つ以上の二次領域の度数は、同じ、実質的に同じ、又は異なってもよい。
【００４８】
図６の例示的な実施形態では、第１のステップ１０６の幅は、約０．２ｍｍであり、第２のステップ１０７の幅は、約０．４ｍｍである。
【００４９】
特定の実施形態では、ステップの幅は、０ｍｍ〜１．５ｍｍ、０．１ｍｍ〜１．２５ｍｍ、０．１ｍｍ〜１ｍｍ、又は０．１５ｍｍ〜１ｍｍでもよい。
【００５０】
図６の例示的な実施形態では、第１のステップ１０６の度数は、一次領域１０１の光学度数よりも約０．５Ｄ分より正であり、第２のステップ１０７の度数は、一次領域１０１の光学度数よりも約１．７５Ｄ分大きい。図６の例示的な実施形態では、第１のステップ１０６の度数は、第１の二次領域１０２の光学度数よりも約０．５Ｄ分、正の度合いが低く、第２のステップ１０７の度数は、第２の二次領域１０３の光学度数よりも約１Ｄ分小さい。
【００５１】
特定の実施形態では、ステップの度数は、一次領域の度数よりも最大で５Ｄ、４Ｄ、又は３Ｄ分より正でもよい。特定の実施形態では、ステップの度数は、二次領域の度数よりも最大で５Ｄ、４Ｄ、又は３Ｄ分、正の度合いが低い又はより負でもよい。特定の実施形態では、２つ以上のステップの度数は、同じ、実質的に同じ、又は異なってもよい。
【００５２】
図６の例示的な実施形態では、第１のステップ１０６を形成する境界点１１３及び１１４における光学度数の変化率の変化と、第２のステップ１０７を形成する境界点１１７及び１１８における光学度数の変化率の変化とは、急速である。
【００５３】
特定の実施形態では、光学度数の変化率の変化は、変化率の変化が０．３ｍｍ、０．２５ｍｍ、０．２ｍｍ、又は０．１５ｍｍ未満の境界点幅上で生じる場合に「急速」であると見なされてもよい。光学度数の変化率の変化がどの程度急速に生じ得るかは、レンズの製造プロセスによって制約され得る。
【００５４】
実施例２
図１０は、レンズのオプティックゾーンの度数プロファイルの例示的な実施形態を示す。オプティックゾーン全域の度数は、オプティックゾーンの中心からの半弦距離に対して示される。図１０の例は、
一次光学度数を有する一次領域５０１と、
中心部分５１１と、
第１の二次光学度数を有する中心部分５１１内の第１の二次領域５０２と、
一次領域５０１から第１の二次領域５０２への第１の度数遷移を有する第１の度数遷移領域５０４と、
周囲部分５１０と、
第２の二次光学度数を有する周囲部分５１０内の第２の二次領域５０３と、
一次領域５０１から第２の二次領域５０３への第２の度数遷移を有する第２の度数遷移領域５０５と、
を含むオプティックゾーンを含む、眼科用レンズであって、
一次光学度数は、屈折補正の処方に従って選択され、第１の二次光学度数は、一次光学度数と比べてより正であり、第２の二次光学度数は、一次光学度数と比べてより正であり、
第１の度数遷移は、少なくとも、第１の二次領域５０２における第１の二次光学度数から一次領域５０１における一次光学度数への度数の変化率が、第１の度数遷移５０４内の第１の遷移領域５１２と第１のステップ５０６との間の第１の境界点５１３において急速に変化し、その後、第１の度数遷移５０４内の第２の遷移領域５１５と第１のステップ５０６との間の第２の境界点５１４において、度数の変化率の急速な変化が続く、第１の度数遷移領域５０４内の第１のステップ５０６と、
少なくとも、第２の二次領域５０３における第２の二次光学度数から一次領域５０１における一次光学度数への度数の変化率が、第２の度数遷移５０５の第３の遷移領域５１９と第２のステップ５０７との間の第３の境界点５１８において急速に変化し、その後、第２の度数遷移５０５内の第４の遷移領域５１６と第２のステップ５０７との間の第４の境界点５１７において、度数の変化率の急速な変化が続く、第２の度数遷移領域５０５内の第２のステップ５０７とを含む、眼科用レンズに関する。
【００５５】
図１１は、図１０に示した例示的な実施形態のオプティカルゾーン全域の度数の変化率の大きさの図表である。例示的な実施形態の一次領域５０１、内側及び外側部分５１１及び５１０、二次領域５０２及び５０３、度数遷移５０４及び５０５、及び第１及び第２のステップ５０６及び５０７も図１１に示される。度数の変化率の大きさは、度数の変化率の絶対値、すなわち、オプティックゾーンに沿った度数の傾きの絶対値である。これは、方程式１によって表すことができる。
2019164370.tif 000003
式中、
Ｘは、半弦距離であり、
Ｐは、半弦距離Ｘにおける度数であり、
Ｒは、半弦距離Ｘにおける度数Ｐの変化率の大きさであり、
度数の変化率の大きさの単位は、Ｄ／ｍｍ（１ミリメートル当たりのジオプター）である。
度数の変化率の大きさの変化の大きさ（すなわち、Ｘに対するＲの導関数の絶対値）の単位は、Ｄ／ｍｍ２（１平方ミリメートル当たりのジオプター）である。
図１０では、第１のステップ５０６は、第１の遷移領域５１２と第１のステップ５０６との間の第１の境界点５１３において、度数の変化率において緩やかな変化を有し、第２の遷移領域５１５と第１のステップ５０６との間の第２の境界点５１４においても度数の変化率において緩やかな変化を有する。図１１では、第１の二次領域５０２から第１のステップ５０６に近づいたのち、一次領域５０１に向けて第１のステップを離れる度数の変化率の大きさは、第１の遷移領域５１２及び第１の境界点５１３において度数の変化率の大きさの減少として見られ、その後、第２の境界点５１４及び第２の遷移領域５１５において度数の変化率の大きさの増加が続く。この例示的な実施形態では、境界点５１３及び５１４における度数の変化率の大きさの変化は緩やかで、第１の境界点５１３の場合、約７Ｄ／ｍｍ２であり、第２の境界点５１４の場合、９Ｄ／ｍｍ２である。
図１０では、第２のステップ５０７は、第４の遷移領域５１６と第２のステップ５０７との間の第４の境界点５１７において、度数の変化率の大きさにおいて急速な変化を有し、第３の遷移領域５１９と第２のステップ５０７との間の第３の境界点５１８において、度数の変化率の大きさにおいてより急速な変化を有する。図１１では、第２の二次領域５０３から第２のステップ５０７に近づいたのち、一次領域５０１に向けて第１のステップを離れる度数の変化率の大きさは、第３の遷移領域５１９及び第３の境界点５１８において度数の変化率の大きさの減少として見られ、その後、第４の境界点５１７及び第４の遷移領域５１６において度数の変化率の大きさの増加が続く。この例示的な実施形態では、境界点５１７及び５１８における度数の変化率の大きさの変化の大きさは、急速から非常に急速の範囲で、第４の境界点５１７の場合、約２０Ｄ／ｍｍ２であり、第３の境界点５１８の場合、３５Ｄ／ｍｍ２である。
【００５６】
特定の実施形態では、境界点における度数の変化率の大きさの変化は、非常に急速でもよく、最大で１００Ｄ／ｍｍ２でもよい。
【００５７】
従って、この例示的な実施形態では、第１のステップ及び第２のステップの両方に関して、度数の変化率の大きさは減少したのち増加する。すなわち、度数の変化率の大きさにおける極小が存在する点又は幅が存在する。図１１では、第１のステップ５０６に対応する最小値は点６０６に存在し、第２のステップ５０７に対応する最小値は、幅６０７に沿う。
【００５８】
特定の実施形態では、二次領域と一次領域との間の度数遷移は、度数遷移に沿った度数の変化率の大きさが減少したのち増加する場合にステップを有する。特定の実施形態では、度数遷移に沿った度数の変化率の大きさの減少に続く増加は、１回又は複数回（すなわち、度数遷移は、１つ又は複数のステップを有する）生じ得る。特定の実施形態では、度数遷移に沿った度数の変化率の大きさの最小値は、点、実質的な点、及び幅の内の１つである。特定の実施形態では、度数遷移に沿った度数の変化率の大きさの最小値は、０〜１ｍｍ、０〜０．７５ｍｍ、又は０〜０．５ｍｍの幅を有する。
【００５９】
特定の実施形態では、ステップの度数の変化率の大きさの最小値における度数の変化率の大きさは、０Ｄ／ｍｍ〜０．７５Ｄ／ｍｍ、０Ｄ／ｍｍ〜０．６Ｄ／ｍｍ、又は０Ｄ／ｍｍ〜０．５Ｄ／ｍｍ、又は０Ｄ／ｍｍ〜１Ｄ／ｍｍでもよい。
【００６０】
特定の実施形態では、遷移領域とステップとの間の境界点における度数の変化率の大きさの変化率は、１Ｄ／ｍｍ２〜１００Ｄ／ｍｍ２又は５Ｄ／ｍｍ２〜５０Ｄ／ｍｍ２でもよい。
【００６１】
実施例３
図７は、レンズのオプティックゾーンの度数プロファイルの例示的な実施形態を示す。オプティックゾーン全域の度数は、オプティックゾーンの中心からの半弦距離に対して示される。図７の例は、
一次光学度数を有する一次領域２０１と、
中心部分２１１と、
第１の二次光学度数を有する中心部分２１１内の第１の二次領域２０２と、
一次領域２０１から第１の二次領域２０２への第１の度数遷移を有する第１の度数遷移領域２０４と、
周囲部分２１０と、
第２の二次光学度数を有する周囲部分２１０内の第２の二次領域２０３と、
一次領域２０１から第２の二次領域２０３への第２の度数遷移を有する第２の度数遷移領域２０５と、
を含むオプティックゾーンを含む、眼科用レンズであって、
一次光学度数は、屈折補正の処方に従って選択され、第１の二次光学度数は、一次光学度数と比べてより正であり、第２の二次光学度数は、一次光学度数と比べてより正であり、
第１の度数遷移は、少なくとも、第１の二次領域２０２における第１の二次光学度数から一次領域２０１における一次光学度数への度数の変化率が、第１の度数遷移２０４内の第１の遷移領域２１２と第１のステップ２０６との間の第１の境界点２１３において急速に変化し、その後、第１の度数遷移２０４内の第２の遷移領域２１５と第１のステップ２０６との間の第２の境界点２１４において、度数の変化率の急速な変化が続く、第１の度数遷移領域２０４内の第１のステップ２０６と、
少なくとも第２のステップ２０７及び第３のステップ２０８と、を含み、
第２のステップ２０７は、第２の二次領域２０３における第２の二次光学度数から一次領域２０１における一次光学度数への度数の変化率が、第２の度数遷移２０５内の第３の遷移領域２１９と第２のステップ２０７との間の第３の境界点２１８において急速に変化し、その後、第２の度数遷移２０５内の第４の遷移領域２１６と第２のステップ２０７との間の第４の境界点２１７において、度数の変化率の急速な変化が続く、第２の度数遷移領域２０５内に位置し、第３のステップ２０８は、第２の二次領域２０３における第２の二次光学度数から一次領域２０１における一次光学度数への度数の変化率が、第２の度数遷移２０５内の第５の遷移領域２２１と第３のステップ２０８との間の第５の境界点２２１において急速に変化し、その後、第２の度数遷移２０５内の第３の遷移領域２１９と第３のステップ２０８との間の第６の境界点２２０において、度数の変化率の急速な変化が続く第２の度数遷移領域２０５内に位置する、眼科用レンズに関する。
【００６２】
図７の例示的な実施形態では、一次領域２０１の一次光学度数は、１．２５Ｄである。
【００６３】
特定の実施形態では、一次光学度数は、装着者の処方に従って選択されてもよい。このような処方は、近視、遠視、乱視及び老眼の内の１つ又は複数の矯正のために提供され得る。
【００６４】
図７の例示的な実施形態では、第１の二次領域の直径は、約０．７ｍｍ（すなわち、約０．３５ｍｍの半弦距離）であり、第２の二次領域の幅（半弦距離）は、約０．８ｍｍである。
【００６５】
特定の実施形態では、二次領域の幅は、０ｍｍ〜２ｍｍ、０．１ｍｍ〜１．７５ｍｍ、又は０．２ｍｍ〜１．５ｍｍでもよい。
【００６６】
図７の例示的な実施形態では、第１の二次領域２０２の度数は、一次光学度数よりも１Ｄ分より正であり、第２の二次光学度数は、一次領域２０１の光学度数よりも３．２５Ｄ分を上回って大きい。図７の例示的な実施形態では、第２の二次領域２０３は、約４．２５Ｄから開始され、外縁部に向けて正の度数で漸進的に増加する光学度数の進行を有する。このような外縁部の度数の漸進的増加は、目の成長を低減させ得る及び／又は近視の進行を低減させ得る。
【００６７】
特定の実施形態では、二次領域の度数は、一定、実質的に一定、漸進的に増加する、漸進的に減少する、変調される（すなわち、その度数プロファイルに沿って起伏する）、収差プロファイル（例えば球面収差）を有する、又はこれらの組み合わせでもよい。
【００６８】
図７の例示的な実施形態では、内側又は中心部分２１１は、第１の二次領域２０２から一次領域２０１への第１の度数遷移２０４においてステップ２０６を有し、外側又は周囲部分２１０は、第２の二次領域２０３から一次領域２０１への第２の度数遷移２０５において２つのステップ２０７及び２０８を有する。
【００６９】
特定の実施形態では、内側若しくは中心部分、又は外側若しくは周囲部分内のステップの数は、１、２、３、４又は５つ以上でもよい。特定の実施形態では、例えば中心部分を意味する内側部分内のステップの数は、１、２、３又は４つ以上でもよい。特定の実施形態では、例えば中心又は内側部分の外側の部分を意味する外側部分内のステップの数は、１、２、３、４、５又は６つ以上でもよい。特定の実施形態では、内側若しくは中心部分、又は外側若しくは周囲部分内のステップの数は、１〜６つ、１〜５つ、２〜６つ、２〜５つ又は２〜４つでもよい。特定の実施形態では、内側部分のステップの数は、外側部分のステップの数と同じでもよい。特定の実施形態では、内側部分のステップの数及び外側部分のステップの数は、同じでなくてもよい。
【００７０】
図７の例示的な実施形態では、第１の二次領域２０２と一次領域２０１との第１の度数遷移２０４は、ステップ２０６を有し、第２の二次領域２０３から一次領域２０１への第２の度数遷移２０５は、２つのステップ２０７及び２０８を有する。特定の実施形態では、度数遷移内のステップの数は、１、２、３、４又は５つ以上でもよい。
【００７１】
特定の実施形態では、二次領域に隣接する又は接する度数遷移内のステップの数は、１、２、３、４、５又は６つ以上でもよい。特定の実施形態では、中心に位置する二次領域に隣接する又は接する度数遷移内のステップの数は、１、２、３、又は４つ以上でもよい。特定の実施形態では、２つ以上の度数遷移におけるステップの数は、同じでもよい。特定の実施形態では、２つ以上の度数遷移におけるステップの数は、同じでなくてもよい。
【００７２】
実施例４
図８は、レンズのオプティックゾーンの度数プロファイルの例示的な実施形態を示す。図８の例は、
一次光学度数を有する一次領域３０１と、
中心部分３１１と、
第１の二次光学度数を有する中心部分３１１内の第１の二次領域３０２と、
一次領域３０１から第１の二次領域３０２への第１の度数遷移を有する第１の度数遷移領域３０４と、
周囲部分３１０と、
第２の二次光学度数を有する周囲部分３１０内の第２の二次領域３０３と、
一次領域３０１から第２の二次領域３０３への第２の度数遷移を有する第２の度数遷移領域３０５と、
を含むオプティックゾーンを含む、眼科用レンズであって、
一次光学度数は、屈折補正の処方に従って選択され、第１の二次光学度数は、一次光学度数と比べてより正であり、第２の二次光学度数は、一次光学度数と比べてより正であり、
第１の度数遷移は、少なくとも、第１の二次領域３０２における第１の二次光学度数から一次領域３０１における一次光学度数への度数の変化率が、第１の度数遷移３０４内の第１の遷移領域３１２と第１のステップ３０６との間の第１の境界点３１３において変化し、その後、第１の度数遷移３０４内の第２の遷移領域３１５と第１のステップ３０６との間の第２の境界点３１４において、度数の変化率の変化が続く、第１の度数遷移領域３０４内の第１のステップ３０６と、
少なくとも第２のステップ３０７及び第３のステップ３０８と、を含み、
第２のステップ３０７は、第２の二次領域３０３における第２の二次光学度数から一次領域３０１における一次光学度数への度数の変化率が、第２の度数遷移３０５内の第３の遷移領域３１９と第２のステップ３０７との間の第３の境界点３１８において変化し、その後、第２の度数遷移３０５内の第４の遷移領域３１６と第２のステップ３０７との間の第４の境界点３１７において、度数の変化率の変化が続く、第２の度数遷移領域３０５内に位置し、第３のステップ３０８は、第２の二次領域３０３における第２の二次光学度数から一次領域３０１における一次光学度数への度数の変化率が、第２の度数遷移３０５内の第５の遷移領域３２１と第３のステップ３０８との間の第５の境界点３２１において変化し、その後、第２の度数遷移３０５内の第３の遷移領域３１９と第３のステップ３０８との間の第６の境界点３２０において、度数の変化率の変化が続く第２の度数遷移領域３０５内に位置する、眼科用レンズに関する。
【００７３】
図８の例示的な実施形態では、一次領域３０１の度数は、約−２Ｄであり、外縁部に向けて正の度数で漸進的に増加する光学度数の進行を有する。このような外縁部の度数の漸進的増加は、視機能又は視覚機能の１つ又は複数の側面における効果的な又は改善した視機能又は視覚機能をもたらすことができる。例えば、球面収差は、目及び眼科用レンズを合わせた状態の収差を補正する、低減させる、又は操作するために、一次領域に含まれてもよい。このような球面収差の含有例は、視覚の明瞭さ、コントラスト、コントラスト感度、視力、及び視覚の全体的な質、又はこれらの組み合わせを改善し得る。
【００７４】
特定の実施形態では、一次領域の度数は、一定、実質的に一定、漸進的に増加する、漸進的に減少する、変調される（すなわち、その度数プロファイルに沿って起伏する）、収差プロファイル（例えば球面収差）を有する、又はこれらの組み合わせでもよい。
【００７５】
図８の例示的な実施形態では、第１のステップ３０６、第２のステップ３０７、及び第３のステップ３０８の度数は、ステップ内で一定ではない。
【００７６】
特定の実施形態では、ステップ内の度数プロファイルは、一定、実質的に一定、又は漸進的に変化してもよい。ステップの度数が漸進的に変化する特定の実施形態では、ステップの幅にわたる度数の変化は、０〜０．２Ｄ、０〜０．１５Ｄ、又は０〜０．１Ｄでもよい。２つ以上のステップが漸進的に変化する度数プロファイルを有する特定の実施形態では、２つ以上のステップ間の度数プロファイルの変化率は、同じでもよい又は同じでなくてもよい。
【００７７】
図８の例示的な実施形態では、第１の度数遷移３０４及び第２の度数遷移３０５に沿った度数プロファイルは、単調である。
【００７８】
単調とは、度数遷移が１つの領域から別の領域へと（例えば、第１の二次領域と一次領域との間で）減少する場合には、度数プロファイルが、度数遷移内のステップを含む度数遷移に沿って、減少する、一定、実質的に減少する、又は実質的に一定であることを意味する。逆に、度数遷移が１つの領域から別の領域へと（例えば、一次領域から第２の二次領域へと）増加する場合には、単調とは、度数プロファイルが、度数遷移内のステップを含む度数遷移に沿って、増加する、一定、実質的に増加する、又は実質的に一定であることを意味する。特定の実施形態では、度数遷移は、単調な度数プロファイルを有する。
【００７９】
図８の例示的な実施形態では、第１のステップ３０６を形成する境界点３１３及び３１４における光学度数の変化率の変化と、第２のステップ３０７を形成する境界点３１７及び３１８における光学度数の変化率の変化とは、急速度が低い及び／又はより緩やかである。
【００８０】
特定の実施形態では、光学度数の変化率の変化は、変化率の変化が０．１５〜１ｍｍ、０．２５〜０．７５ｍｍ、又は０．３〜０．５ｍｍの境界点幅上で生じる場合に「緩やか」であると見なされ得る。
【００８１】
実施例５
図９は、レンズのオプティックゾーンの度数プロファイルの例示的な実施形態を示す。図９の例は、
一次光学度数を有する一次領域４０１と、
中心部分４１１と、
第１の二次光学度数を有する中心部分４１１内の第１の二次領域４０２と、
一次領域４０１から第１の二次領域４０２への第１の度数遷移を有する第１の度数遷移領域４０４と、
周囲部分４１０と、
第２の二次光学度数を有する周囲部分４１０内の第２の二次領域４０３と、
一次領域４０１から第２の二次領域４０３への第２の度数遷移を有する第２の度数遷移領域４０５と、
を含むオプティックゾーンを含む、眼科用レンズであって、
第１の二次光学度数は、一次光学度数と比べてより正であり、第２の二次光学度数は、一次光学度数と比べてより正であり、
第１の度数遷移は、少なくとも、第１の度数遷移領域４０４内の第１のステップ４０６と、
少なくとも、第２の度数遷移領域４０５内の第２のステップ４０７と、を含み、
一次領域４０１は、一次領域とは異なる光学度数を有する光学領域４０９を含む、眼科用レンズに関する。
図９の例示的な実施形態では、一次領域４０１の度数は、約−２．５Ｄであり、一次度数と比べて約０．７５Ｄ分より正の光学度数を有する環状光学領域４０９を有する。このような光学領域は、老眼の矯正及び／又は目の成長の低減及び／又は近視の進行の低減のために、近見視力の改善を提供し得る。
【００８２】
特定の実施形態では、一次領域は、一次領域とは異なる又は実質的に異なる光学度数を有する１つ又は複数の光学領域を有してもよい。特定の実施形態では、一次領域は、一次領域と比べてより正の又は実質的により正の光学度数を有する１つ又は複数の光学領域を有してもよい。一次領域が２つ以上の光学領域を有し得る特定の実施形態では、一次領域内の２つ以上の光学領域の光学度数は、同じ、実質的に同じ、又は異なってもよい。
【００８３】
特定の実施形態は、実行するためには専門家の医学専門知識を必要とする及び必要とされる専門家の治療及び専門知識によって実行されたとしても大きな健康上のリスクを伴う、人又は動物の体に対する実質的な物理的介入を意味する侵襲的工程を含む又は包含するような使用、例えば、レンズを人又は動物の目の中及び／又は上に導入する、光学特性を侵襲的に変化させる、及び／又は人又は動物の目の構成要素である水晶体を恒久的に変形させる又は人又は動物の目の構成要素である水晶体の少なくとも一部を交換する工程を含む使用は除いたレンズの使用に関する。
【００８４】
他の非限定的で例示的な実施形態
請求項に係る発明の内容のさらなる利点は、以下の例示的な実施形態から明らかとなるであろう。
実施例Ａ１．光学度数を有する一次領域と、１つ又は複数の二次領域とを有するオプティカルゾーンを含む眼科用レンズであって、
１つ又は複数の二次領域の少なくとも１つは、一次領域の周囲に位置し、
１つ又は複数の二次領域は、一次領域の光学度数と比べてより正の光学度数を有し、
一次領域と、少なくとも１つ又は１つ又は複数の二次領域との間で、度数の変化率の大きさが減少したのち増加する、一次領域及び１つ又は複数の二次領域の少なくとも１つを含まない少なくとも１つのステップを有して、光学度数がより負の度数とより正の度数との間で漸進的に遷移する、眼科用レンズ。
実施例Ａ２．少なくとも１つの一次光学度数を有する少なくとも１つの一次領域と、
第１の光学度数を有する第１の二次領域と、
第２の光学度数を有する第２の二次領域と、
を含むオプティカルゾーンを含む、眼科用レンズであって、
第１の二次領域及び第２の二次領域の少なくとも一方は、少なくとも１つの一次領域の周囲にあり、第１及び第２の光学度数は、少なくとも１つの一次光学度数と比べてより正であり、
隣接する一次領域と二次領域との間に、度数遷移の変化率の大きさが減少したのち増加する、一次及び二次領域における一次及び二次度数を含まない少なくとも１つのステップを有した、一次光学度数から隣接する二次領域の二次光学度数への度数遷移が存在する、眼科用レンズ。
実施例Ａ３．少なくとも１つの一次光学度数を有する少なくとも１つの一次領域と、
第１の光学度数を有する第１の二次領域及び第２の光学度数を有する第２の二次領域を含む少なくとも２つの二次領域と、
を含むオプティカルゾーンを含む、眼科用レンズであって、
第１の二次領域及び第２の二次領域の少なくとも一方は、少なくとも１つの一次領域の周囲にあり、第１及び第２の光学度数は、少なくとも１つの一次光学度数と比べてより正であり、
少なくとも１つの一次領域が第１の二次領域及び第２の二次領域の一方に隣接する場合に度数遷移の変化率の大きさが急速に減少したのち急速に増加する、少なくとも１つの一次光学度数及び第１及び二次光学を含まない少なくとも１つのステップを有した、少なくとも１つの一次光学度数から第１の光学度数及び第２の光学度数の少なくとも一方への度数遷移が存在する、眼科用レンズ。
実施例Ａ４．目の屈折異常を矯正する及び目の成長を制御するための眼科用レンズであって、光学度数を有する一次領域と、一次領域の周囲に少なくとも１つを含み、一次領域の光学度数と比べてより正の光学度数を有する１つ以上の二次領域とを備えたオプティカルゾーンを含み、一次領域と１つ以上の二次領域との間で、度数の変化率の大きさがレンズによって経験される視覚機能又は視機能の改善に十分な量だけ及び距離にわたって減少したのち増加する、一次領域及び１つ以上の二次領域を含まない少なくとも１つのステップを有して、より負の度数とより正の度数との間で光学度数が漸進的に遷移する、眼科用レンズ。
Ａ５．レンズが目の屈折異常を矯正するためのものである、実施例Ａ１〜Ａ３の１つ又は複数の眼科用レンズ。
Ａ６．レンズが目の屈折異常を矯正するため及び目の成長を制御するためのものである、実施例Ａ１〜Ａ３の１つ又は複数の眼科用レンズ。
Ａ７．二次光学度数が、一次光学度数と比べて、０．５Ｄ〜３．５Ｄ、０．７５Ｄ〜２．５Ｄ、又は１Ｄ〜２．５Ｄ分だけより正である、実施例Ａ１〜Ａ６の１つ又は複数の眼科用レンズ。
Ａ８．二次光学度数が、一次光学度数と比べて、少なくとも０．５Ｄ、０．７５Ｄ、１Ｄ、２Ｄ、２．５Ｄ、３Ｄ、又は３．５Ｄ分だけより正である、実施例Ａ１〜Ａｘ６の１つ又は複数の眼科用レンズ。
Ａ９．一次領域の幅が、約０．２ｍｍ、０．５ｍｍ、１ｍｍ、２ｍｍ、３ｍｍ、４ｍｍ、又は５ｍｍである、実施例Ａ１〜Ａ８の１つ又は複数の眼科用レンズ。
Ａ１０．一次領域の幅が、０．２ｍｍ〜５ｍｍ、０．５〜１ｍｍ、０．５ｍｍ〜２ｍｍ、０．５ｍｍ〜３ｍｍ、１ｍｍ〜４ｍｍ、又は２ｍｍ〜４ｍｍである、実施例Ａ１〜Ａ８の１つ又は複数の眼科用レンズ。
Ａ１１．中心の二次領域の幅が、０ｍｍ〜３ｍｍ、０．５ｍｍ〜３ｍｍ、１ｍｍ〜２．５ｍｍ、又は２ｍｍ〜２．５ｍｍである、実施例Ａ１〜Ａ１０の１つ又は複数の眼科用レンズ。
Ａ１２．ステップの少なくとも１つの幅が、およそ０．１ｍｍ、０．２ｍｍ、又は０．３ｍｍである、実施例Ａ１〜Ａ１１の１つ又は複数の眼科用レンズ。
Ａ１３．ステップの少なくとも２つの幅が、およそ０．１ｍｍ、０．２ｍｍ、又は０．３ｍｍである、実施例Ａ１〜Ａ１１の１つ又は複数の眼科用レンズ。
Ａ１４．ステップの少なくとも３つの幅が、およそ０．１ｍｍ、０．２ｍｍ、又は０．３ｍｍである、実施例Ａ１〜Ａ１１の１つ又は複数の眼科用レンズ。
Ａ１５．ステップの少なくとも４つの幅が、およそ０．１ｍｍ、０．２ｍｍ、又は０．３ｍｍである、実施例Ａ１〜Ａ１１の１つ又は複数の眼科用レンズ。
Ａ１６．ステップの少なくとも１つの幅が、約０．１ｍｍ、０．２ｍｍ、又は０．３ｍｍである、実施例Ａ１〜Ａ１１の１つ又は複数の眼科用レンズ。
Ａ１７．ステップの少なくとも２つの幅が、約０．１ｍｍ、０．２ｍｍ、又は０．３ｍｍである、実施例Ａ１〜Ａ１１の１つ又は複数の眼科用レンズ。
Ａ１８．ステップの少なくとも３つの幅が、約０．１ｍｍ、０．２ｍｍ、又は０．３ｍｍである、実施例Ａ１〜Ａ１１の１つ又は複数の眼科用レンズ。
Ａ１９．ステップの少なくとも４つの幅が、約０．１ｍｍ、０．２ｍｍ、又は０．３ｍｍである、実施例Ａ１〜Ａ１１の１つ又は複数の眼科用レンズ。
Ａ２０．ステップの１つ又は複数の光学度数の漸進的遷移の変化率が単調に増加する、実施例Ａ１〜Ａ１９の１つ又は複数の眼科用レンズ。
Ａ２１。ステップの１つ又は複数の光学度数の漸進的遷移の変化率が単調に減少する、実施例Ａ１〜Ａ１９の１つ又は複数の眼科用レンズ。
Ａ２２．ステップの１つ又は複数の光学度数の少なくとも一部の変化率が均一又は実質的に均一である、実施例Ａ１〜Ａ２１の１つ又は複数の眼科用レンズ。
Ａ２３．ステップの１つ又は複数の光学度数の少なくとも一部の変化率がゼロ又は実質的に均一である、実施例Ａ１〜Ａ２１の１つ又は複数の眼科用レンズ。
Ａ２４．ステップの１つ又は複数の光学度数の少なくとも一部の変化率は、急速であり、０．３ｍｍ、０．２５ｍｍ、０．２ｍｍ、又は０．１５ｍｍ未満の境界点幅上で生じる、実施例Ａ１〜Ａ２３の１つ又は複数の眼科用レンズ。
Ａ２５．ステップの１つ又は複数の光学度数の少なくとも一部の変化率は、緩やかであり、０．１５〜１ｍｍ、０．２５〜０．７５ｍｍ、又は０．３〜０．５ｍｍの境界点幅上で生じる、実施例Ａ１〜Ａ２３の１つ又は複数の眼科用レンズ。
Ａ２６．レンズが、近視の矯正及び近視の進行の制御のためのものである、実施例Ａ１〜Ａ２５の１つ又は複数の眼科用レンズ。
Ａ２７．レンズが、目の以下の屈折異常：近視、遠視、乱視及び老眼の内の１つ又は複数の矯正のためのものである、実施例Ａ１〜Ａ２５の１つ又は複数の眼科用レンズ。
Ａ２８．レンズがコンタクトレンズである、実施例Ａ１〜Ａ２７の１つ又は複数の眼科用レンズ。
Ａ２９．レンズが眼内レンズである、実施例Ａ１〜Ａ２７の１つ又は複数の眼科用レンズ。
Ａ３０．レンズが視覚機能又は視機能を改善させる、実施例Ａ１〜Ａ２９の１つ又は複数の眼科用レンズ。
Ａ３１．レンズが以下：視覚の明瞭さ、複視の程度、ゴースティングの程度、歪み、コントラスト、コントラスト感度、視力、及び視覚の全体的な質の内の１つ又は複数を改善させる、実施例Ａ１〜Ａ２９の１つ又は複数の眼科用レンズ。
Ａ３２．実施例Ａ１〜Ａ２９の１つ又は複数のレンズを用いた、近視を矯正する及び近視の進行を制御する方法。
Ａ３３．実施例Ａ１〜の１つ又は複数のレンズを用いた、目の以下の屈折異常：近視、遠視、乱視及び老眼の内の１つ又は複数を矯正する方法
Ａ３４．実施例Ａ１〜Ａ２９の１つ又は複数のレンズを用いた、視覚機能又は視機能を改善させる方法。
Ａ３５．実施例Ａ１〜Ａ２９の１つ又は複数のレンズを用いた、以下：視覚の明瞭さ、複視の程度、ゴースティングの程度、歪み、コントラスト、コントラスト感度、視力、及び視覚の全体的な質の内の１つ又は複数を改善させる方法。
実施例Ｂ１．少なくとも第１の度数プロファイルを有する少なくとも１つの内側部分と、少なくとも第２の度数プロファイルを有する少なくとも１つの外側部分と、
を含むオプティックゾーンを含む、眼科用レンズであって、
少なくとも１つの内側部分の第１の度数プロファイルは、少なくとも第１のステップを有し、第１のステップは、その両側において、第１の境界点及び第２の境界点と境界を接し、第１の度数プロファイルは、第１の境界点において度数の変化率の第１の変化と、第２の境界点において度数の変化率の第２の変化とを有し、
少なくとも１つの外側部分の第２の度数プロファイルは、少なくとも第２のステップを有し、第２のステップは、その両側において、第３の境界点及び第４の境界点と境界を接し、第２の度数プロファイルは、第３の境界点において度数の変化率の第３の変化と、第４の境界点において度数の変化率の第４の変化とを有する、眼科用レンズ。
Ｂ２．少なくとも第１のステップを有する少なくとも１つの内側部分は、１〜６つ、１〜５つ、２〜５つ、又は２〜４つのステップを有する、実施例Ｂ１の眼科用レンズ。
Ｂ３．少なくとも第１のステップを有する少なくとも１つの内側部分は、１〜６つ、１〜５つ、２〜５つ、又は２〜４つのステップを有する、実施例Ｂ１又はＢ２の眼科用レンズ。
Ｂ４．境界点における度数の変化率の変化が急速である、実施例Ｂ１〜Ｂ２、又はＢ３の眼科用レンズ。
Ｂ５．境界点における度数の変化率の変化が緩やかである、実施例Ｂ１〜Ｂ２、又はＢ３の眼科用レンズ。
Ｂ６．ステップ内の度数が、以下：一定、実質的に一定、減少する、及び増加する、の内の１つ又は複数である、実施例Ｂ１〜Ｂ４、又はＢ５の眼科用レンズ。
Ｂ７．第１のステップ内の度数及び第２のステップ内の度数は、同じ、実質的に同じ、又は異なる、実施例Ｂ１〜Ｂ５、又はＢ６の眼科用レンズ。
Ｂ８．ステップの幅が、０ｍｍ〜１．５ｍｍ、０．１ｍｍ〜１．２５ｍｍ、０．１ｍｍ〜１ｍｍ、又は０．１５ｍｍ〜１ｍｍである、実施例Ｂ１〜Ｂ６、又はＢ７の眼科用レンズ。
Ｂ９．実施例Ｂ１〜Ｂ８の１つ又は複数のレンズを用いた、近視を矯正する及び近視の進行を制御する方法。
Ｂ１０．実施例Ｂ１〜Ｂ８の１つ又は複数のレンズを用いた、目の以下の屈折異常：近視、遠視、乱視及び老眼の内の１つ又は複数を矯正する方法。
Ｂ１１．実施例Ｂ１〜Ｂ８の１つ又は複数のレンズを用いた、視覚機能又は視機能を改善させる方法。
Ｂ１２．実施例Ｂ１〜Ｂ８の１つ又は複数のレンズを用いた、以下：視覚の明瞭さ、複視の程度、ゴースティングの程度、歪み、コントラスト、コントラスト感度、視力、及び視覚の全体的な質の内の１つ又は複数を改善させる方法。
実施例Ｃ１．少なくとも１つの一次光学度数を有する少なくとも１つの一次領域と、
第１の光学度数を有する第１の二次領域及び第２の光学度数を有する第２の二次領域を含む少なくとも２つの二次領域と、
を含むオプティカルゾーンを含む、眼科用レンズであって、
第１の二次領域及び第２の二次領域の少なくとも一方は、少なくとも１つの一次領域の周囲にあり、第１及び第２の光学度数は、少なくとも１つの一次光学度数と比べてより正であり、
少なくとも第１のステップを有する、少なくとも１つの一次光学度数から第１の光学度数への第１の度数遷移と、少なくとも第２のステップを有する、少なくとも１つの一次光学度数から第２の光学度数への第２の度数遷移とが存在し、これらのステップは、少なくとも１つの一次領域及び第１及び第２の二次領域を含まず、第１のステップ及び第２のステップの少なくとも一方に関して、度数遷移の変化率の大きさが減少したのち増加する、眼科用レンズ。
Ｃ２．度数遷移の変化率の大きさが急速に減少したのち急速に増加する、実施例Ｃ１の眼科用レンズ。
Ｃ３．度数遷移の変化率の大きさが緩やかに減少したのち緩やかに増加する、実施例Ｃ１の眼科用レンズ。
Ｃ４．少なくとも１つの一次領域は、０．２ｍｍ〜２ｍｍ、０．３ｍｍ〜１．７５ｍｍ、又は０．４ｍｍ〜１．５ｍｍの幅を有する、実施例Ｃ１〜Ｃ２、又はＣ３の眼科用レンズ。
Ｃ５．第１及び第２の光学度数は、少なくとも１つの一次光学度数よりも最大で５Ｄ、４Ｄ、又は３Ｄの量分、より正である、実施例Ｃ１〜Ｃ３、又はＣ４の眼科用レンズ。
Ｃ６．第１の二次領域及び第２の二次領域の少なくとも一方は、０ｍｍ〜２ｍｍ、０．１ｍｍ〜１．７５ｍｍ、又は０．２ｍｍ〜１．５ｍｍの幅を有する、実施例Ｃ１〜Ｃ４、又はＣ５の眼科用レンズ。
Ｃ７．第１の度数遷移及び第２の度数遷移の少なくとも一方は、１〜６つ、１〜５つ、２〜６つ、２〜５つ、又は２〜４つのステップを有する、実施例Ｃ１〜Ｃ５、又はＣ６の眼科用レンズ。
Ｃ８．第１のステップ及び第２のステップの少なくとも一方に関して、幅が、０ｍｍ〜１．５ｍｍ、０．１ｍｍ〜１．２５ｍｍ、０．１ｍｍ〜１ｍｍ、又は０．１５ｍｍ〜１ｍｍである、実施例Ｃ１〜Ｃ６、又はＣ７の眼科用レンズ。
Ｃ９．第１のステップ及び第２のステップの少なくとも一方に関して、度数が一次領域の度数よりも最大で５Ｄ、４Ｄ、又は３Ｄ分より正でもよい、実施例Ｃ１〜Ｃ７、又はＣ８の眼科用レンズ。
Ｃ１０．第１のステップ及び第２のステップの少なくとも一方に関して、度数が第１の二次領域及び第２の二次領域の少なくとも一方の度数よりも最大で５Ｄ、４Ｄ、又は３Ｄ分、正の度合いが低い、実施例Ｃ１〜Ｃ８、又はＣ９の眼科用レンズ。
Ｃ１１．実施例Ｃ１〜Ｃ１０の１つ又は複数のレンズを用いた、近視を矯正する及び近視の進行を制御する方法。
Ｃ１２．実施例Ｃ１〜Ｃ１０の１つ又は複数のレンズを用いた、目の以下の屈折異常：近視、遠視、乱視及び老眼の内の１つ又は複数を矯正する方法。
Ｃ１３．実施例Ｃ１〜Ｃ１０の１つ又は複数のレンズを用いた、視覚機能又は視機能を改善させる方法。
Ｃ１１．実施例Ｃ１〜Ｃ１０の１つ又は複数のレンズを用いた、以下：視覚の明瞭さ、複視の程度、ゴースティングの程度、歪み、コントラスト、コントラスト感度、視力、及び視覚の全体的な質の内の１つ又は複数を改善させる方法。
Ｄ１．少なくとも第１の度数プロファイルを有する少なくとも１つの中心部分と、少なくとも第２の度数プロファイルを有する少なくとも１つの周囲部分と、
を含むオプティックゾーンを含む、眼科用レンズであって、
少なくとも１つの中心部分の第１の度数プロファイルは、少なくとも第１のステップを有し、第１のステップは、その両側において、第１の境界点及び第２の境界点と境界を接し、第１の度数プロファイルは、第１の境界点において度数の変化率の第１の変化と、第２の境界点において度数の変化率の第２の変化とを有し、
少なくとも１つの周囲部分の第２の度数プロファイルは、少なくとも第２のステップを有し、第２のステップは、その両側において、第３の境界点及び第４の境界点と境界を接し、第２の度数プロファイルは、第３の境界点において度数の変化率の第３の変化と、第４の境界点において度数の変化率の第４の変化とを有する、眼科用レンズ。
Ｄ２．少なくとも１つの中心部分が、１〜６つ、１〜５つ、２〜５つ、２〜６つ、２〜４つのステップ、３〜５つのステップ、又は３〜６つのステップを有する、実施例Ｄ１の眼科用レンズ。
Ｄ３．少なくとも１つの中心部分が、少なくとも２、３、４、５つのステップを有する、実施例Ｄ１又はＤ２の眼科用レンズ。
Ｄ４．少なくとも１つの周囲部分が、１〜６つ、１〜５つ、２〜５つ、２〜４つのステップ、３〜５つのステップ、又は３〜６つのステップを有する、前述の実施例Ｄ１〜Ｄ３の少なくとも１つの眼科用レンズ。
Ｄ５．少なくとも１つの周囲部分が、少なくとも２、３、４、又は５つのステップを有する、前述の実施例Ｄ１〜Ｄ４の少なくとも１つの眼科用レンズ。
Ｄ６．境界点の１つ又は複数における度数の変化率の変化が急速である、前述の実施例Ｄ１〜５の少なくとも１つの眼科用レンズ。
Ｄ７．境界点の１つ又は複数における度数の変化率の変化が緩やかである、前述の実施例Ｄ１〜Ｄ６の少なくとも１つの眼科用レンズ。
Ｄ８．ステップの１つ又は複数内の度数が、以下：一定、実質的に一定、減少する、及び増加する、の内の１つ又は複数である、前述の実施例Ｄ１〜Ｄ７の少なくとも１つの眼科用レンズ。
Ｄ９．第１のステップ内の度数及び第２のステップ内の度数は、同じ、実質的に同じ、又は異なる、前述の実施例Ｄ１〜Ｄ８の少なくとも１つの眼科用レンズ。
Ｄ１０．ステップの１つ又は複数が、０ｍｍ〜１．５ｍｍ、０．１ｍｍ〜１．２５ｍｍ、０．１ｍｍ〜１ｍｍ、又は０．１５ｍｍ〜１ｍｍの幅を有する、前述の実施例Ｄ１〜Ｄ９の少なくとも１つの眼科用レンズ。
Ｄ１１．ステップの１つ又は複数が、少なくとも０．１ｍｍ、０．１５ｍｍ、０．２５ｍｍ、０．５ｍｍ、１ｍｍ、又は１．２５ｍｍの幅を有する、前述の実施例Ｄ１〜Ｄ１０の少なくとも１つの眼科用レンズ。
Ｄ１２．レンズが近視の矯正及び／又は近視の進行の制御のためのものである、前述の実施例Ｄ１〜Ｄ１１の少なくとも１つの眼科用レンズ。
Ｄ１３．レンズが老眼の矯正のためのものである、前述の実施例Ｄ１〜Ｄ１２の少なくとも１つの眼科用レンズ。
Ｄ１４．少なくとも１つの周囲部分は、少なくとも４つ又は５つの半径方向に間隔を空けたステップを有し、少なくとも１つの中心部分は、少なくとも２つ又は３つの半径方向に間隔を空けたステップを有する、前述の実施例Ｄ１〜Ｄ１３の少なくとも１つの眼科用レンズ。
Ｄ１５．少なくとも１つの周囲部分は、２〜６つの半径方向に間隔を空けたステップを有し、少なくとも１つの中心部分は、１〜２つの半径方向に間隔を空けたステップを有する、前述の実施例Ｄ１〜Ｄ１３の少なくとも１つの眼科用レンズ。
Ｄ１６．少なくとも１つの周囲部分は、２〜４つの半径方向に間隔を空けたステップを有し、少なくとも１つの中心部分は、２〜３つの半径方向に間隔を空けたステップを有する、前述の実施例Ｄ１〜Ｄ１３の少なくとも１つの眼科用レンズ。
Ｅ１７．少なくとも１つの一次光学度数を有する少なくとも１つの一次領域と、
第１の光学度数を有する第１の二次領域及び第２の光学度数を有する第２の二次領域を含む少なくとも２つの二次領域と、
を含むオプティカルゾーンを含む、眼科用レンズであって、
第１の二次領域及び第２の二次領域の少なくとも一方は、少なくとも１つの一次領域の周囲にあり、第１及び第２の光学度数は、少なくとも１つの一次光学度数と比べてより正であり、
少なくとも第１のステップを有する、少なくとも１つの一次光学度数から第１の光学度数への第１の度数遷移と、少なくとも第２のステップを有する、少なくとも１つの一次光学度数から第２の光学度数への第２の度数遷移とが存在し、これらのステップは、少なくとも１つの一次領域及び第１及び第２の二次領域を含まず、第１のステップの少なくとも１つ及び第２のステップの少なくとも１つに関して、度数遷移の変化率の大きさがステップの前の境界点において減少したのちステップの後の境界点において増加する、眼科用レンズ。
Ｅ１８．ステップに関して、ステップの前の境界点における度数遷移の変化率の大きさは、以下の様式：中程度、急速及び緩やかの内の１つ又は複数で減少したのち、ステップの後の境界点において、以下の様式：中程度、急速及び緩やかの内の１つ又は複数で増加する、実施例Ｅ１７の眼科用レンズ。
Ｅ１９．度数遷移の変化率の大きさは、ステップの前の境界点において急速に減少したのち、ステップの後の境界点において急速に増加する、実施例Ｅ１７〜Ｅ１８の少なくとも１つの眼科用レンズ。
Ｅ２０．度数遷移の変化率の大きさは、ステップの前の境界点において緩やかに減少したのち、ステップの後の境界点において緩やかに増加する、実施例Ｅ１７〜Ｅ１８の少なくとも１つの眼科用レンズ。
Ｅ２１．度数遷移の変化率の大きさは、ステップの前の境界点において中程度に減少したのち、ステップの後の境界点において中程度に増加する、実施例Ｅ１７〜Ｅ１８の少なくとも１つの眼科用レンズ。
Ｅ２２．少なくとも１つの一次領域は、０．２ｍｍ〜２ｍｍ、０．３ｍｍ〜１．７５ｍｍ、又は０．４ｍｍ〜１．５ｍｍの幅を有する、実施例Ｅ１７〜Ｅ２１の少なくとも１つの眼科用レンズ。
Ｅ２３．第１及び第２の光学度数が、少なくとも１つの一次光学度数と比べて最大で５Ｄ、４Ｄ、又は３Ｄの量分、より正である、実施例Ｅ１７〜Ｅ２２の少なくとも１つの眼科用レンズ。
Ｅ２４．第１の二次領域及び第２の二次領域の少なくとも一方が、０ｍｍ〜２ｍｍ、０．１ｍｍ〜１．７５ｍｍ、又は０．２ｍｍ〜１．５ｍｍの幅を有する、実施例Ｅ１７〜Ｅ２３の少なくとも１つの眼科用レンズ。
Ｅ２５．第１の度数遷移及び第２の度数遷移の少なくとも一方は、１〜６つ、１〜５つ、２〜６つ、２〜５つ、又は２〜４つのステップを有する、実施例Ｅ１７〜Ｅ２４の少なくとも１つの眼科用レンズ。
Ｅ２６．第１の度数遷移及び第２の度数遷移の少なくとも一方は、１〜５つ、２〜４つ、１〜３つ、２〜３つ、２〜５つ、又は２〜６つの半径方向に間隔を空けたステップを有する、実施例Ｅ１７〜Ｅ２５の少なくとも１つの眼科用レンズ。
Ｅ２７．第１の度数遷移及び第２の度数遷移は、１〜５つ、２〜４つ、１〜３つ、２〜３つ、２〜５つ、又は２〜６つの半径方向に間隔を空けたステップを有する、実施例Ｅ１７〜Ｅ２６の少なくとも１つの眼科用レンズ。
Ｅ２８．第１の度数遷移及び第２の度数遷移の少なくとも一方は、二次領域の１つ又は複数間又は各二次領域間に、１〜５つ、２〜４つ、１〜３つ、２〜３つ、２〜５つ、又は２〜６つの半径方向に間隔を空けたステップを有する、実施例Ｅ１７〜Ｅ２７の少なくとも１つの眼科用レンズ。
Ｅ２９．二次領域の１つ又は複数間又は各二次領域間に、少なくとも２、３、４、５、又は６つの半径方向に間隔を空けたステップが存在する、実施例Ｅ１７〜Ｅ２８の少なくとも１つの眼科用レンズ。
Ｅ３０．第１のステップ及び第２のステップの少なくとも一方に関して、幅が、０ｍｍ〜１．５ｍｍ、０．１ｍｍ〜１．２５ｍｍ、０．１ｍｍ〜１ｍｍ、又は０．１５ｍｍ〜１ｍｍである、実施例Ｅ１７〜Ｅ２９の少なくとも１つの眼科用レンズ。
Ｅ３１．第１のステップ及び第２のステップの少なくとも一方に関して、度数が一次領域の度数よりも最大で５Ｄ、４Ｄ、又は３Ｄ分より正である、実施例Ｅ１７〜Ｅ３０の少なくとも１つの眼科用レンズ。
Ｅ３２．第１のステップ及び第２のステップに関して、度数が一次領域の度数よりも最大で５Ｄ、４Ｄ、又は３Ｄ分より正である、実施例Ｅ１７〜Ｅ３０の少なくとも１つの眼科用レンズ。
Ｅ３３．第１のステップ及び第２のステップの少なくとも一方に関して、度数が第１の二次領域及び第２の二次領域の少なくとも一方の度数よりも最大で５Ｄ、４Ｄ、又は３Ｄ分、正の度合いが低い、実施例Ｅ１７〜Ｅ３２の少なくとも１つの眼科用レンズ。
Ｅ３４．第１のステップ及び第２のステップに関して、度数が第１の二次領域及び第２の二次領域の少なくとも一方の度数よりも最大で５Ｄ、４Ｄ、又は３Ｄ分、正の度合いが低い、実施例Ｅ１７〜Ｅ３２の少なくとも１つの眼科用レンズ。
Ｅ３５．第１のステップ及び第２のステップに関して、度数が第１の二次領域及び第２の二次領域の度数よりも最大で５Ｄ、４Ｄ、又は３Ｄ分、正の度合いが低い、実施例Ｅ１７〜Ｅ３２の少なくとも１つの眼科用レンズ。
Ｅ３６．レンズが近視の矯正及び／又は近視の進行の制御のためのものである、前述の実施例Ｅ１７〜Ｅ３５の少なくとも１つの眼科用レンズ。
Ｅ３７．レンズが老眼の矯正のためのものである、前述の実施例Ｅ１７〜Ｅ３５の少なくとも１つの眼科用レンズ。
【００８５】
本明細書において開示及び定義された本発明は、記載された又は本文又は図面から明らかな個々の特徴の２つ以上のあらゆる代替的組み合わせを含むことが理解されるであろう。これらの異なる組み合わせの全てが、本発明の様々な代替的局面を構成する。
【図１】
2019164370.tif 000004
【図２】
2019164370.tif 000005
【図３】
2019164370.tif 000006
【図４】
2019164370.tif 000007
【図５】
2019164370.tif 000008
【図６】
2019164370.tif 000009
【図７】
2019164370.tif 000010
【図８】
2019164370.tif 000011
【図９】
2019164370.tif 000012
【図１０】
2019164370.tif 000013
【図１１】
2019164370.tif 000014
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
光学度数を有する一次領域と、１つ又は複数の二次領域とを有するオプティカルゾーンを含む眼科用レンズであって、
前記１つ又は複数の二次領域の少なくとも１つは、前記一次領域の周囲に位置し、
前記１つ又は複数の二次領域は、前記一次領域の光学度数と比べてより正の光学度数を有し、
前記一次領域と、前記１つ又は複数の二次領域のうちの少なくとも１つとの間で、度数の変化率の大きさが減少したのち増加する、前記一次領域及び前記１つ又は複数の二次領域のうちの少なくとも１つを含まない、少なくとも１つのステップを有して、光学度数がより負の度数とより正の度数との間で漸進的に遷移する、眼科用レンズ。
【請求項２】
少なくとも１つの一次光学度数を有する少なくとも１つの一次領域と、
第１の光学度数を有する第１の二次領域と、
第２の光学度数を有する第２の二次領域と、
を含むオプティカルゾーンを含む、眼科用レンズであって、
前記第１の二次領域及び前記第２の二次領域の少なくとも一方は、前記少なくとも１つの一次領域の周囲にあり、前記第１及び第２の光学度数は、前記少なくとも１つの一次光学度数と比べてより正であり、
隣接する一次領域と二次領域との間に、度数遷移の変化率の大きさが減少したのち増加する、前記一次及び二次領域における前記一次及び二次度数を含まない、少なくとも１つのステップを有して、前記一次光学度数から隣接する二次領域の前記二次光学度数への度数遷移が存在する、眼科用レンズ。
【請求項３】
少なくとも１つの一次光学度数を有する少なくとも１つの一次領域と、
第１の光学度数を有する第１の二次領域及び第２の光学度数を有する第２の二次領域を含む少なくとも２つの二次領域と、
を含むオプティカルゾーンを含む、眼科用レンズであって、
前記第１の二次領域及び第２の二次領域の少なくとも一方は、前記少なくとも１つの一次領域の周囲にあり、前記第１及び第２の光学度数は、少なくとも１つの一次光学度数と比べてより正であり、
前記少なくとも１つの一次領域が前記第１の二次領域及び第２の二次領域の一方に隣接する場合に、度数遷移の変化率の大きさが急速に減少したのち急速に増加する、前記少なくとも１つの一次光学度数及び前記第１及び二次光学を含まない少なくとも１つのステップを有して、前記少なくとも１つの一次光学度数から前記第１の光学度数及び前記第２の光学度数の少なくとも一方への度数遷移が存在する、眼科用レンズ。
【請求項４】
目の屈折異常を矯正する及び目の成長を制御するための眼科用レンズであって、光学度数を有する一次領域と、前記一次領域の周囲に少なくとも１つを含み、一次領域の光学度数と比べてより正の光学度数を有する１つ以上の二次領域とを備えたオプティカルゾーンを含み、前記一次領域と前記１つ以上の二次領域との間で、度数の変化率の大きさがレンズによって経験される視覚機能又は視機能の改善に十分な量だけ及び距離にわたって減少したのち増加する、前記一次領域及び前記１つ以上の二次領域を含まない少なくとも１つのステップを有して、より負の度数とより正の度数との間で光学度数が漸進的に遷移する、眼科用レンズ。
【請求項５】
前記レンズが目の屈折異常を矯正するためのものである、請求項１〜３のいずれかの眼科用レンズ。
【請求項６】
前記レンズが目の屈折異常を矯正するため及び目の成長を制御するためのものである、請求項１〜３のいずれかの眼科用レンズ。
【請求項７】
前記二次光学度数が、前記一次光学度数と比べて、０．５Ｄ〜３．５Ｄ、０．７５Ｄ〜２．５Ｄ、又は１Ｄ〜２．５Ｄ分だけより正である、請求項１〜６のいずれかの眼科用レンズ。
【請求項８】
前記二次光学度数が、前記一次光学度数と比べて、少なくとも０．５Ｄ、０．７５Ｄ、１Ｄ、２Ｄ、２．５Ｄ、３Ｄ、又は３．５Ｄ分だけより正である、請求項１〜６のいずれかの眼科用レンズ。
【請求項９】
前記一次領域の幅が、約０．２ｍｍ、０．５ｍｍ、１ｍｍ、２ｍｍ、３ｍｍ、４ｍｍ、又は５ｍｍである、請求項１〜８のいずれかの眼科用レンズ。
【請求項１０】
前記一次領域の幅が、０．２ｍｍ〜５ｍｍ、０．５〜１ｍｍ、０．５ｍｍ〜２ｍｍ、０．５ｍｍ〜３ｍｍ、１ｍｍ〜４ｍｍ、又は２ｍｍ〜４ｍｍである、請求項１〜８のいずれかの眼科用レンズ。
【請求項１１】
中心の二次領域の幅が、０ｍｍ〜３ｍｍ、０．５ｍｍ〜３ｍｍ、１ｍｍ〜２．５ｍｍ、又は２ｍｍ〜２．５ｍｍである、請求項１〜１０のいずれかの眼科用レンズ。
【請求項１２】
前記ステップの少なくとも１つの幅が、およそ０．１ｍｍ、０．２ｍｍ、又は０．３ｍｍである、請求項１〜１１のいずれかの眼科用レンズ。
【請求項１３】
前記ステップの少なくとも２つの幅が、およそ０．１ｍｍ、０．２ｍｍ、又は０．３ｍｍである、請求項１〜１１のいずれかの眼科用レンズ。
【請求項１４】
前記ステップの少なくとも３つの幅が、およそ０．１ｍｍ、０．２ｍｍ、又は０．３ｍｍである、請求項１〜１１のいずれかの眼科用レンズ。
【請求項１５】
前記ステップの少なくとも４つの幅が、およそ０．１ｍｍ、０．２ｍｍ、又は０．３ｍｍである、請求項１〜１１のいずれかの眼科用レンズ。
【請求項１６】
前記ステップの少なくとも１つの幅が、約０．１ｍｍ、０．２ｍｍ、又は０．３ｍｍである、請求項１〜１１のいずれかの眼科用レンズ。
【請求項１７】
前記ステップの少なくとも２つの幅が、約０．１ｍｍ、０．２ｍｍ、又は０．３ｍｍである、請求項１〜１１のいずれかの眼科用レンズ。
【請求項１８】
前記ステップの少なくとも３つの幅が、約０．１ｍｍ、０．２ｍｍ、又は０．３ｍｍである、請求項１〜１１のいずれかの眼科用レンズ。
【請求項１９】
前期ステップの少なくとも４つの幅が、約０．１ｍｍ、０．２ｍｍ、又は０．３ｍｍである、請求項１〜１１のいずれかの眼科用レンズ。
【請求項２０】
前記ステップの１つ又は複数の光学度数の漸進的遷移の変化率が単調に増加する、請求項１〜１９のいずれかの眼科用レンズ。
【請求項２１】
前記ステップの１つ又は複数の光学度数の漸進的遷移の変化率が単調に減少する、請求項１〜１９のいずれかの眼科用レンズ。
【請求項２２】
前記ステップの１つ又は複数の光学度数の少なくとも一部の変化率が均一又は実質的に均一である、請求項１〜２１のいずれかの眼科用レンズ。
【請求項２３】
前記ステップの１つ又は複数の光学度数の少なくとも一部の変化率がゼロ又は実質的に均一である、請求項１〜２１のいずれかの眼科用レンズ。
【請求項２４】
前記ステップの１つ又は複数の光学度数の少なくとも一部の変化率は、急速であり、０．３ｍｍ、０．２５ｍｍ、０．２ｍｍ、又は０．１５ｍｍ未満の境界点幅上で生じる、請求項１〜２３のいずれかの眼科用レンズ。
【請求項２５】
前記ステップの１つ又は複数の光学度数の少なくとも一部の変化率は、緩やかであり、０．１５〜１ｍｍ、０．２５〜０．７５ｍｍ、又は０．３〜０．５ｍｍの境界点幅上で生じる、請求項１〜２３のいずれかの眼科用レンズ。
【請求項２６】
前記レンズが、近視の矯正及び近視の進行の制御のためのものである、請求項１〜２５のいずれかの眼科用レンズ。
【請求項２７】
前記レンズが、近視、遠視、乱視及び老眼の内の１つ又は複数の目の屈折異常の矯正のためのものである、請求項１〜２５のいずれかの眼科用レンズ。
【請求項２８】
前記レンズがコンタクトレンズである、請求項１〜２７のいずれかの眼科用レンズ。
【請求項２９】
前記レンズが眼内レンズである、請求項１〜２７のいずれかの眼科用レンズ。
【請求項３０】
前記レンズが視覚機能又は視機能を改善させる、請求項１〜２９のいずれかの眼科用レンズ。
【請求項３１】
前記レンズが、視覚の明瞭さ、複視の程度、ゴースティングの程度、歪み、コントラスト、コントラスト感度、視力、及び視覚の全体的な質の内の１つ又は複数を改善させる、請求項１〜２９のいずれかの眼科用レンズ。